(57)【特許請求の範囲】
【請求項１】
立体視画像を表示するための立体画像データを、複数チャネルで差動信号により、伝送路を介して外部機器に送信するデータ送信部と、
上記外部機器から上記伝送路を介して送られてくる、該外部機器が対応可能な立体画像データの伝送方式情報を受信する伝送方式情報受信部と、
上記伝送方式情報受信部で受信された伝送方式情報に基づいて、上記外部機器が対応可能な立体画像データの伝送方式から、上記データ送信部で送信される上記立体画像データの伝送方式として所定の伝送方式を選択する伝送方式選択部と、
上記データ送信部で送信される上記立体画像データの伝送方式の情報を、該立体画像データのブランキング期間に挿入することで、上記伝送路を介して上記外部機器に送信する伝送方式情報送信部と、
リモートコントロール信号を受信するリモコン受信部と
を備える送信装置。
【請求項２】
上記複数チャネルはＴＭＤＳチャネルである
請求項１に記載の送信装置。
【請求項３】
上記ＴＭＤＳチャネルはチャネルを３つ有する
請求項２に記載の送信装置。
【請求項４】
上記伝送方式情報受信部は、上記伝送路に含まれるＤＤＣを介して上記伝送方式情報を受信する
請求項１に記載の送信装置。
【請求項５】
上記データ送信部で送信される上記立体画像データの伝送方式の情報は、上記ブランキング期間のデータアイランド区間に送信される
請求項１に記載の送信装置。
【請求項６】
上記データ送信部で送信される上記立体画像データの伝送方式の情報は、ＩｎｆｏＦｒａｍｅにより上記伝送路を介して上記外部機器に送信される
請求項１または５に記載の送信装置。
【請求項７】
上記データ送信部で送信される上記立体画像データの伝送方式の情報は、ＡＶＩ  ＩｎｆｏＦｒａｍｅにより上記伝送路を介して上記外部機器に送信される
請求項６に記載の送信装置。
【請求項８】
上記データ送信部で送信される上記立体画像データの伝送方式の情報は、ＡＶＩ  ＩｎｆｏＦｒａｍｅの所定のバイトにより上記伝送路を介して上記外部機器に送信される
請求項７に記載の送信装置。
【請求項９】
ＢＤドライブをさらに備える
請求項１に記載の送信装置。
【請求項１０】
ネットワークに接続する端子であるネットワーク端子をさらに備える
請求項１または９に記載の送信装置。
【請求項１１】
上記立体画像データを暗号化する暗号化部をさらに備える
請求項１に記載の送信装置。
【請求項１２】
上記暗号化部は、ＤＴＣＰ回路である
請求項１１に記載の送信装置。
【請求項１３】
外部機器から伝送路を介して送られてくる、該外部機器が対応可能な立体画像データの伝送方式情報を受信する伝送方式情報受信ステップと、
上記伝送方式情報受信ステップで受信された伝送方式情報に基づいて、上記外部機器が対応可能な立体画像データの伝送方式から所定の伝送方式を選択する伝送方式選択ステップと、
上記伝送方式選択ステップで選択された伝送方式の立体画像データを、複数チャネルで、差動信号により、上記伝送路を介して上記外部機器に送信するデータ送信ステップと、
上記データ送信ステップで送信される上記立体画像データの伝送方式情報を、該立体画像データのブランキング期間に挿入することで、上記伝送路を介して上記外部機器に送信する伝送方式情報送信ステップと、
リモートコントロール信号を受信するステップと
を有する立体画像データ送信方法。
【請求項１４】
外部機器から、複数チャネルで、差動信号により、伝送路を介して、立体視画像を表示するための立体画像データを受信するデータ受信部と、
上記データ受信部で受信された上記立体画像データのブランキング期間から、該立体画像データの伝送方式情報を抽出する伝送方式情報受信部と、
上記伝送方式情報受信部で抽出された伝送方式情報に基づいて、上記データ受信部で受信された立体画像データを処理して左眼画像データおよび右眼画像データを生成するデータ処理部と、
自身が対応可能な立体画像データの伝送方式情報を記憶しておく伝送方式情報記憶部と、
上記伝送方式情報記憶部に記憶されている伝送方式情報を、上記伝送路を介して上記外部機器に送信する伝送方式情報送信部と、
リモートコントロール信号を受信するリモコン受信部と、
上記外部機器から受信した音声データを出力するスピーカと、
上記立体画像データを表示する表示パネルと
を備える受信装置。
【請求項１５】
上記表示パネルは、ＬＣＤである
請求項１４に記載の受信装置。
【請求項１６】
ネットワークに接続する端子であるネットワーク端子をさらに備える
請求項１４に記載の受信装置。
【請求項１７】
上記複数チャネルはＴＭＤＳチャネルである
請求項１４に記載の受信装置。
【請求項１８】
上記ＴＭＤＳチャネルはチャネルを３つ有する
請求項１７に記載の受信装置。
【請求項１９】
上記伝送方式情報送信部は、上記伝送路に含まれるＤＤＣを介して上記伝送方式情報を送信する
請求項１４に記載の受信装置。
【請求項２０】
上記伝送方式情報受信部は、上記データ受信部で受信された上記立体画像データのブランキング期間のデータアイランド区間から、該立体画像データの伝送方式情報を受信する
請求項１４に記載の受信装置。
【請求項２１】
上記伝送方式情報受信部で抽出された伝送方式情報は、ＩｎｆｏＦｒａｍｅにより上記伝送路を介して上記外部機器から送信される
請求項１４または２０に記載の受信装置。
【請求項２２】
上記伝送方式情報受信部で抽出された伝送方式情報は、ＡＶＩ  ＩｎｆｏＦｒａｍｅにより上記伝送路を介して上記外部機器から送信される
請求項２１に記載の受信装置。
【請求項２３】
上記伝送方式情報受信部で抽出された伝送方式情報は、ＡＶＩ  ＩｎｆｏＦｒａｍｅの所定のバイトにより上記伝送路を介して上記外部機器から送信される
請求項２２に記載の受信装置。
【請求項２４】
上記自身が対応可能な立体画像データの伝送方式情報は、Ｅ−ＥＤＩＤに記憶されている
請求項１４に記載の受信装置。
【請求項２５】
上記自身が対応可能な立体画像データの伝送方式情報は、Ｅ−ＥＤＩＤのＶｅｎｄｏｒ−Ｓｐｅｃｉｆｉｃに記憶されている
請求項２４に記載の受信装置。
【請求項２６】
上記データ受信部で受信された立体画像データを復号する復号部をさらに備える
請求項１４に記載の受信装置。
【請求項２７】
上記復号部は、ＤＴＣＰ回路である
請求項２６に記載の受信装置。
【請求項２８】
外部機器から、複数チャネルで、差動信号により、伝送路を介して、立体画像データを受信するデータ受信ステップと、
上記データ受信ステップで受信された上記立体画像データのブランキング期間から、該立体画像データの伝送方式情報を抽出する伝送方式情報受信ステップと、
上記伝送方式情報受信ステップで抽出された伝送方式情報に基づいて、上記データ受信ステップで受信された立体画像データを処理して左眼画像データおよび右眼画像データを生成するデータ処理ステップと、
自身が対応可能な立体画像データの伝送方式情報を、上記伝送路を介して、上記外部機器に送信する伝送方式情報送信ステップと、
音声データを出力するステップと、
上記立体画像データを表示するステップと
を有する立体画像データ受信方法。
【発明の詳細な説明】
【技術分野】
【０００１】
この発明は、送信装置、立体画像データ送信方法、受信装置および立体画像データ受信方法に関する。
【背景技術】
【０００２】
近年、例えば、ＤＶＤ(Digital Versatile Disc)レコーダや、セットトップボックス、その他のＡＶソース（Audio Visual source）から、テレビ受信機、プロジェクタ、その他のディスプレイに対して、デジタル映像信号、すなわち、非圧縮（ベースバンド）の映像信号（画像データ）と、その映像信号に付随するデジタル音声信号（音声データ）とを、高速に伝送する通信インタフェースとして、ＨＤＭＩ(High Definition Multimedia Interface)が普及しつつある。例えば、非特許文献１には、ＨＤＭＩ規格の詳細についての記載がある。
【０００３】
図４２は、ＡＶ(Audio Visual)システム１０の構成例を示している。このＡＶシステム１０は、ソース機器としてのディスクプレーヤ１１と、シンク機器としてのテレビ受信機１２とを有している。ディスクプレーヤ１１およびテレビ受信機１２は、ＨＤＭＩケーブル１３を介して接続されている。ディスクプレーヤ１１には、ＨＤＭＩ送信部（ＨＤＭＩ ＴＸ）１１ｂが接続されたＨＤＭＩ端子１１ａが設けられている。テレビ受信機１２には、ＨＤＭＩ受信部（ＨＤＭＩ ＲＸ）１２ｂが接続されたＨＤＭＩ端子１２ａが設けられている。ＨＤＭＩケーブル１３の一端はディスクプレーヤ１１のＨＤＭＩ端子１１ａに接続され、このＨＤＭＩケーブル１３の他端はテレビ受信機１２のＨＤＭＩ端子１２ａに接続されている。
【０００４】
図４２に示すＡＶシステム１０において、ディスクプレーヤ１１で再生されて得られた非圧縮の画像データはＨＤＭＩケーブル１３を介してテレビ受信機１２に送信され、当該テレビ受信機１２ではディスクプレーヤ１１から送信された画像データによる画像が表示される。また、ディスクプレーヤ１１で再生されて得られた非圧縮の音声データはＨＤＭＩケーブル１３を介してテレビ受信機１２に送信され、当該テレビ受信機１２ではディスクプレーヤ１１から送信された音声データによる音声が出力される。
【０００５】
図４３は、図４２のＡＶシステム１０における、ディスクプレーヤ１１のＨＤＭＩ送信部（ＨＤＭＩソース）１１ｂと、テレビ受信機１２のＨＤＭＩ受信部（ＨＤＭＩシンク）１２ｂの構成例を示している。
【０００６】
ＨＤＭＩ送信部１１ｂは、一の垂直同期信号から次の垂直同期信号までの区間から、水平帰線区間及び垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩ受信部１２ｂに一方向に送信するとともに、水平帰線区間または垂直帰線区間において、少なくとも画像に付随する音声データや制御データ、その他の補助データ等に対応する差動信号を、複数のチャネルで、ＨＤＭＩ受信部１２ｂに一方向に送信する。
【０００７】
すなわち、ＨＤＭＩ送信部１１ｂは、ＨＤＭＩトランスミッタ８１を有する。トランスミッタ８１は、例えば、非圧縮の画像の画素データを対応する差動信号に変換し、複数のチャネルである３つのＴＭＤＳ（Transition Minimized Differential Signaling）チャネル＃０，＃１，＃２で、ＨＤＭＩケーブル１３を介して接続されているＨＤＭＩ受信部１２ｂに、一方向にシリアル伝送する。
【０００８】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブル１３を介して接続されているＨＤＭＩ受信部１２ｂに、一方向にシリアル伝送する。
【０００９】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブル１３を介して接続されているＨＤＭＩ受信部１２ｂに送信する。ここで、１つのＴＭＤＳチャネル＃ｉ（ｉ=０，１，２）では、ピクセルクロックの１クロックの間に、１０ビットの画素データが送信される。
【００１０】
ＨＤＭＩ受信部１２ｂは、アクティブビデオ区間において、複数のチャネルで、ＨＤＭＩ送信部１１ｂから一方向に送信されてくる、画素データに対応する差動信号を受信するとともに、水平帰線区間または垂直帰線区間において、複数のチャネルで、ＨＤＭＩ送信部１１ｂから一方向に送信されてくる、音声データや制御データに対応する差動信号を受信する。
【００１１】
すなわち、ＨＤＭＩ受信部１２ｂは、ＨＤＭＩレシーバ８２を有する。レシーバ８２は、ＴＭＤＳチャネル＃０，＃１，＃２で、ＨＤＭＩケーブル１３を介して接続されているＨＤＭＩ送信部１１ｂから一方向に送信されてくる、画素データに対応する差動信号と、音声データや制御データに対応する差動信号を、同じくＨＤＭＩ送信部１１ｂからＴＭＤＳクロックチャネルで送信されてくるピクセルクロックに同期して受信する。
【００１２】
ＨＤＭＩソース送信部１１ｂとＨＤＭＩ受信部１２ｂとからなるＨＤＭＩシステムの伝送チャネルには、ＨＤＭＩ送信部１１ｂからＨＤＭＩ受信部１２ｂに対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣ（Consumer Electronics Control）ライン８４と呼ばれる伝送チャネルがある。
【００１３】
ＤＤＣ８３は、ＨＤＭＩケーブル１３に含まれる図示しない２本の信号線からなり、ＨＤＭＩ送信部１１ｂが、ＨＤＭＩケーブル１３を介して接続されたＨＤＭＩ受信部１２ｂから、Ｅ−ＥＤＩＤ（Enhanced Extended Display Identification Data）を読み出すために使用される。
【００１４】
すなわち、ＨＤＭＩ受信部１２ｂは、ＨＤＭＩレシーバ８１の他に、自身の性能（Configuration/capability）に関する性能情報であるＥ−ＥＤＩＤを記憶している、ＥＤＩＤ  ＲＯＭ(Read Only Memory)８５を有している。ＨＤＭＩ送信部１１ｂは、ＨＤＭＩケーブル１３を介して接続されているＨＤＭＩ受信部１２ｂから、当該ＨＤＭＩ受信部１２ｂのＥ−ＥＤＩＤを、ＤＤＣ８３を介して読み出し、そのＥ−ＥＤＩＤに基づき、ＨＤＭＩ受信部１２ｂの性能の設定、すなわち、例えば、ＨＤＭＩ受信部１２ｂを有する電子機器が対応している画像のフォーマット（プロファイル）、例えば、ＲＧＢ、ＹＣbＣr４：４：４、ＹＣbＣr４：２：２等を認識する。
【００１５】
ＣＥＣライン８４は、ＨＤＭＩケーブル１３に含まれる図示しない１本の信号線からなり、ＨＤＭＩ送信部１１ｂとＨＤＭＩ受信部１２ｂとの間で、制御用のデータの双方向通信を行うのに用いられる。
【００１６】
また、ＨＤＭＩケーブル１３には、ＨＰＤ(Hot Plug Detect)と呼ばれるピンに接続されるライン（ＨＰＤライン）８６が含まれている。ソース機器は、当該ライン８６を利用して、シンク機器の接続を検出することができる。また、ＨＤＭＩケーブル１３には、ソース機器からシンク機器に電源を供給するために用いられるライン（電源ライン）８７が含まれている。さらに、ＨＤＭＩケーブル１３には、リザーブライン８８が含まれている。
【００１７】
図４４は、ＴＭＤＳ伝送データ例を示している。図４４は、ＴＭＤＳチャネル＃０，＃１，＃２において、横×縦が１９２０ピクセル×１０８０ラインの画像データが伝送される場合の、各種の伝送データの区間を示している。
【００１８】
ＨＤＭＩの３つのＴＭＤＳチャネル＃０，＃１，＃２で伝送データが伝送されるビデオフィールド（Video Field）には、伝送データの種類に応じて、ビデオデータ区間（Video Data period）、データアイランド区間（Data Island period）、およびコントロール区間（Control period）の３種類の区間が存在する。
【００１９】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（vertical blanking）、並びに、ビデオフィールド区間から、水平ブランキング期間および垂直ブランキング期間を除いた区間であるアクティブビデオ区間（Active Video）に分けられる。
【００２０】
ビデオデータ区間は、アクティブビデオ区間に割り当てられる。このビデオデータ区間では、非圧縮の１画面分の画像データを構成する１９２０ピクセル（画素）×１０８０ライン分の有効画素（Active pixel）のデータが伝送される。
【００２１】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００２２】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００２３】
図４５は、ＨＤＭＩの３つのＴＭＤＳチャネル＃０，＃１，＃２で画像データ（２４ビット）を伝送する際のパッキングフォーマット例を示している。画像データの伝送方式として、RGB 4:4:4とYCbCr 4:4:4とYCbCr 4:2:2の３通りを示している。ここで、ＴＭＤＳクロックとピクセル（Pixel）クロックの関係は、ＴＭＤＳクロック＝ピクセルクロックの関係になっている。
【００２４】
RGB 4:4:4の方式では、ＴＭＤＳチャネル＃０，＃１，＃２における各ピクセル（画素）のデータ領域に、８ビットの青色（Ｂ）データ、８ビットの緑色（Ｇ）データ、８ビットの赤色（Ｒ）データが配置されている。YCbCr 4:4:4方式では、ＴＭＤＳチャネル＃０，＃１，＃２における各ピクセル（画素）のデータ領域に、８ビットの青色差（Ｃｂ）データ、８ビットの輝度（Ｙ）データ、８ビットの赤色差（Ｃｒ）データが配置されている。
【００２５】
YCbCr 4:2:2方式では、ＴＭＤＳチャネル＃０の各ピクセル（画素）のデータ領域に、輝度（Ｙ）データのビット０〜ビット３のデータが配置されていると共に、青色差（Ｃｂ）データのビット０〜ビット３のデータと赤色差（Ｃｒ）データのビット０〜ビット３のデータとが１ピクセル毎に交互に配置されている。また、YCbCr 4:2:2方式では、ＴＭＤＳチャネル＃１の各ピクセル（画素）のデータ領域に、輝度（Ｙ）データのビット４〜ビット１１のデータが配置されている。また、YCbCr 4:2:2方式では、ＴＭＤＳチャネル＃２の各ピクセル（画素）のデータ領域に、青色差（Ｃｂ）データのビット４〜ビット１１のデータと赤色差（Ｃｒ）データのビット４〜ビット１１のデータとが１ピクセル毎に交互に配置されている。
【００２６】
図４６は、ＨＤＭＩの３つのＴＭＤＳチャネル＃０，＃１，＃２で、ディープカラーの画像データ（４８ビット）を伝送する際のパッキングフォーマット例を示している。画像データの伝送方式として、RGB 4:4:4とYCbCr 4:4:4の２通りを示している。ここで、ＴＭＤＳクロックとピクセル（Pixel）クロックの関係は、ＴＭＤＳクロック＝２×ピクセルクロックの関係になっている。
【００２７】
RGB 4:4:4の方式では、ＴＭＤＳチャネル＃０における各ピクセル（画素）の前半および後半のデータ領域に、１６ビットの青色（Ｂ）データのビット０〜ビット７のデータとビット８〜ビット１５のデータが配置されている。また、RGB 4:4:4の方式では、ＴＭＤＳチャネル＃１における各ピクセル（画素）の前半および後半のデータ領域に、１６ビットの緑色（Ｇ）データのビット０〜ビット７のデータとビット８〜ビット１５のデータが配置されている。また、RGB 4:4:4の方式では、ＴＭＤＳチャネル＃２における各ピクセル（画素）の前半および後半のデータ領域に、１６ビットの赤色（Ｒ）データのビット０〜ビット７のデータとビット８〜ビット１５のデータが配置されている。
【００２８】
また、YCbCr 4:4:4の方式では、ＴＭＤＳチャネル＃０における各ピクセル（画素）の前半および後半のデータ領域に、１６ビットの青色差（Ｃｂ）データのビット０〜ビット７のデータとビット８〜ビット１５のデータが配置されている。また、YCbCr 4:4:4の方式では、ＴＭＤＳチャネル＃１における各ピクセル（画素）の前半および後半のデータ領域に、１６ビットの輝度（Ｙ）データのビット０〜ビット７のデータとビット８〜ビット１５のデータが配置されている。また、YCbCr 4:4:4の方式では、ＴＭＤＳチャネル＃２における各ピクセル（画素）の前半および後半のデータ領域に、１６ビットの赤色差（Ｃｒ）データのビット０〜ビット７のデータとビット８〜ビット１５のデータが配置されている。
【００２９】
ＨＤＭＩ接続された機器間で、今後実用化される立体画像データの伝送仕様がないため、同じメーカー間での接続のみでしか実現できなかった。特に、他社セットとの接続では相互接続保証はされていない。例えば、特許文献１には、立体画像データの伝送方式およびその判定に関する提案はされているが、ＨＤＭＩ等のデジタルインタフェースでの伝送については提案されていない。また、特許文献２には、立体画像データのテレビ放送電波を用いた伝送方式については提案されているが、デジタルインタフェースでの伝送については提案されていない。
【先行技術文献】
【特許文献】
【００３０】
【特許文献１】特開２００３−１１１１０１号公報
【特許文献２】特開２００５−６１１４号公報
【非特許文献】
【００３１】
【非特許文献１】High-Definition Multimedia Interface Specification Version 1.3a,November 10 2006
【発明の概要】
【発明が解決しようとする課題】
【００３２】
上述したように、従来、ＨＤＭＩ等のデデジタルインタフェースでの立体画像データの伝送仕様については何等提案されていない。
【００３３】
この発明の目的は、機器間における立体画像データの伝送を良好に行い得るようにすることにある。
【課題を解決するための手段】
【００３４】
この発明の概念は、
立体視画像を表示するための立体画像データを、複数チャネルで差動信号により、伝送路を介して外部機器に送信するデータ送信部と、
上記外部機器から上記伝送路を介して送られてくる、該外部機器が対応可能な立体画像データの伝送方式情報を受信する伝送方式情報受信部と、
上記伝送方式情報受信部で受信された伝送方式情報に基づいて、上記外部機器が対応可能な立体画像データの伝送方式から、上記データ送信部で送信される上記立体画像データの伝送方式として所定の伝送方式を選択する伝送方式選択部と、
上記データ送信部で送信される上記立体画像データの伝送方式の情報を、該立体画像データのブランキング期間に挿入することで、上記伝送路を介して上記外部機器に送信する伝送方式情報送信部と、
リモートコントロール信号を受信するリモコン受信部と
を備える送信装置にある。
【００３５】
また、この発明の概念は、
外部機器から、複数チャネルで、差動信号により、伝送路を介して、立体視画像を表示するための立体画像データを受信するデータ受信部と、
上記データ受信部で受信された上記立体画像データのブランキング期間から、該立体画像データの伝送方式情報を抽出する伝送方式情報受信部と、
上記伝送方式情報受信部で抽出された伝送方式情報に基づいて、上記データ受信部で受信された立体画像データを処理して左眼画像データおよび右眼画像データを生成するデータ処理部と、
自身が対応可能な立体画像データの伝送方式情報を記憶しておく伝送方式情報記憶部と、
上記伝送方式情報記憶部に記憶されている伝送方式情報を、上記伝送路を介して上記外部機器に送信する伝送方式情報送信部と、
リモートコントロール信号を受信するリモコン受信部と、
上記外部機器から受信した音声データを出力するスピーカと、
上記立体画像データを表示する表示パネルと
を備える受信装置にある。
【発明の効果】
【００３６】
この発明によれば、機器間における立体画像データの伝送を良好に行うことができる。
【図面の簡単な説明】
【００３７】
【図１】この発明の実施の形態としてのＡＶシステムの構成例を示すブロック図である。
【図２】立体視画像の表示方式例である、「フィールドシーケンシャル方式」および「位相差プレート方式」を示す図である。
【図３】ＡＶシステムを構成するディスクプレーヤ（ソース機器）の構成例を示すブロック図である。
【図４】ＡＶシステムを構成するテレビ受信機（シンク機器）の構成例を示すブロック図である。
【図５】ＨＤＭＩ送信部（ＨＤＭＩソース）とＨＤＭＩ受信部（ＨＤＭＩシンク）の構成例を示すブロック図である。
【図６】ＨＤＭＩ送信部を構成するＨＤＭＩトランスミッタと、ＨＤＭＩ受信部を構成するＨＤＭＩレシーバの構成例を示すブロック図である。
【図７】ＴＭＤＳ伝送データの構造例（横×縦が１９２０ピクセル×１０８０ラインの画像データが伝送される場合）を示す図である。
【図８】ソース機器およびシンク機器のＨＤＭＩケーブルが接続されるＨＤＭＩ端子のピン配列（タイプＡ）を示す図である。
【図９】ソース機器およびシンク機器における、ＨＤＭＩケーブルのリザーブラインおよびＨＤＤラインを用いて構成される双方向通信路のインタフェースである、高速データラインインタフェースの構成例を示す接続図である。
【図１０】左眼（Ｌ）および右眼（Ｒ）の画像データ（１９２０×１０８０ｐのピクセルフォーマットの画像データ）を示す図である。
【図１１】３Ｄ（立体）画像データの伝送方式である、（ａ）左眼画像データのピクセルデータと右眼画像データのピクセルデータとをＴＭＤＳクロック毎に順次切り換えて伝送する方式、（ｂ）左眼画像データの１ライン分と右眼画像データの１ライン分とを交互に伝送する方式、（ｃ）左眼画像データと右眼画像データとをフィールド毎に順次切換えて伝送する方式、を説明するための図である。
【図１２】３Ｄ（立体）画像データの伝送方式である、（ａ）左眼画像データの１ライン分と右眼画像データの１ライン分とを交互に伝送する方式、（ｂ）垂直方向の前半では左眼画像データの各ラインのデータを伝送し、垂直方向の後半では左眼画像データの各ラインのデータを伝送する方式、（ｃ）水平方向の前半では左眼画像データのピクセルデータを伝送し、水平方向の後半では左眼画像データのピクセルデータを伝送する方式、を説明するための図である。
【図１３】左眼画像データのピクセルデータと右眼画像データのピクセルデータとをＴＭＤＳクロック毎に順次切り換えて伝送する方式（方式（１））におけるＴＭＤＳ伝送データ例を示す図である。
【図１４】ＨＤＭＩの３つのＴＭＤＳチャネル＃０，＃１，＃２で、方式（１）の３Ｄ画像データを伝送する際のパッキングフォーマット例を示す図である。
【図１５】左眼画像データの１ライン分と右眼画像データの１ライン分とを交互に伝送する方式（方式（２））におけるＴＭＤＳ伝送データ例を示す図である。
【図１６】ＨＤＭＩの３つのＴＭＤＳチャネル＃０，＃１，＃２で、方式（２）の３Ｄ画像データを伝送する際のパッキングフォーマット例を示す図である。
【図１７】左眼画像データと右眼画像データとをフィールド毎に順次切換えて伝送する方式（方式（３））におけるＴＭＤＳ伝送データ例を示す図である。
【図１８】ＨＤＭＩの３つのＴＭＤＳチャネル＃０，＃１，＃２で、方式（３）の３Ｄ画像データを伝送する際の奇数フィールドのパッキングフォーマット例を示す図である。
【図１９】ＨＤＭＩの３つのＴＭＤＳチャネル＃０，＃１，＃２で、方式（３）の３Ｄ画像データを伝送する際の偶数フィールドのパッキングフォーマット例を示す図である。
【図２０】左眼画像データの１ライン分と右眼画像データの１ライン分とを交互に伝送する方式（方式（４））におけるＴＭＤＳ伝送データ例を示す図である。
【図２１】ＨＤＭＩの３つのＴＭＤＳチャネル＃０，＃１，＃２で、方式（４）の３Ｄ画像データを伝送する際のパッキングフォーマット例を示す図である。
【図２２】垂直方向の前半では左眼画像データの各ラインのデータを伝送し、垂直方向の後半では左眼画像データの各ラインのデータを伝送する方式（方式（５））におけるＴＭＤＳ伝送データ例を示す図である。
【図２３】ＨＤＭＩの３つのＴＭＤＳチャネル＃０，＃１，＃２で、方式（５）の３Ｄ画像データを伝送する際の垂直前半のパッキングフォーマット例を示す図である。
【図２４】ＨＤＭＩの３つのＴＭＤＳチャネル＃０，＃１，＃２で、方式（５）の３Ｄ画像データを伝送する際の垂直後半のパッキングフォーマット例を示す図である。
【図２５】水平方向の前半では左眼画像データのピクセルデータを伝送し、水平方向の後半では左眼画像データのピクセルデータを伝送する方式（方式（６））におけるＴＭＤＳ伝送データ例を示す図である。
【図２６】ＨＤＭＩの３つのＴＭＤＳチャネル＃０，＃１，＃２で、方式（６）の３Ｄ画像データを伝送する際のパッキングフォーマット例を示す図である。
【図２７】ＭＰＥＧ−Ｃ方式の３Ｄ画像データを構成する２次元（２Ｄ）画像データおよび奥行きデータを示す図である。
【図２８】ＭＰＥＧ−Ｃ方式におけるＴＭＤＳ伝送データ例を示す図である。
【図２９】ＨＤＭＩの３つのＴＭＤＳチャネル＃０，＃１，＃２で、ＭＰＥＧ−Ｃ方式の３Ｄ画像データを伝送する際のパッキングフォーマット例を説明するための図である。
【図３０】ＭＰＥＧ−Ｃ方式の３Ｄ画像データを受信したシンク機器（テレビ受信機）におけるデコード処理を説明するための図である。
【図３１】シンク機器（テレビ受信機）に記憶されているＥ−ＥＤＩＤのデータ構造例を示す図である。
【図３２】Ｅ−ＥＤＩＤのＶｅｎｄｅｒ  Ｓｐｅｃｉｆｉｃ領域のデータ構造例を示す図である。
【図３３】データアイランド区間に配置される、AVI InfoFrameパケットのデータ構造例を示す図である。
【図３４】映像フォーマットデータ例を示す図である。
【図３５】Deep Color情報を伝送するＧＣＰ（General Control Protocol）パケットの構造例を示す図である。
【図３６】データアイランド区間に配置される、Audio InfoFrameパケットのデータ構造例を示す図である。
【図３７】ディスクプレーヤ（ソース機器）における、テレビ受信機（シンク機器）の接続時の処理手順を示すフローチャートである。
【図３８】ディスクプレーヤ（ソース機器）における３Ｄ画像データの伝送方式の決定処理の手順を示す図である。
【図３９】ベースバンドデジタルインタフェースとしてＤＰインタフェースを用いたＤＰシステムの構成例を示す図である。
【図４０】ベースバンドデジタルインタフェースとしてワイヤレスインタフェースを用いたワイヤレスシステムの構成例を示す図である。
【図４１】伝送路の伝送レートを確認して３Ｄ画像データの伝送方式を決定する、伝送システムの構成例を示す図である。
【図４２】従来のＨＤＭＩインタフェースを用いたＡＶシステムの構成例を示す図である。
【図４３】ディスクプレーヤ（ソース機器）のＨＤＭＩ送信部と、テレビ受信機（シンク機器）のＨＤＭＩ受信部の構成例を示す図である。
【図４４】横×縦が１９２０ピクセル×１０８０ラインの画像データが伝送される場合におけるＴＭＤＳ伝送データ例を示す図である。
【図４５】ＨＤＭＩの３つのＴＭＤＳチャネル＃０，＃１，＃２で画像データ（２４ビット）を伝送する際のパッキングフォーマット例を示す図である。
【図４６】ＨＤＭＩの３つのＴＭＤＳチャネル＃０，＃１，＃２で、ディープカラーの画像データ（４８ビット）を伝送する際のパッキングフォーマット例を示す図である。
【発明を実施するための形態】
【００３８】
以下、図面を参照しながら、この発明の実施の形態について説明する。図１は、実施の形態としてのＡＶ(Audio Visual)システム２００の構成例を示している。このＡＶシステム２００は、ソース機器としてのディスクプレーヤ２１０と、シンク機器としてのテレビ受信機２５０とを有している。
【００３９】
ディスクプレーヤ２１０およびテレビ受信機２５０は、ＨＤＭＩケーブル３５０を介して接続されている。ディスクプレーヤ２１０には、ＨＤＭＩ送信部（ＨＤＭＩ ＴＸ）２１２および高速データラインインタフェース（Ｉ／Ｆ）２１３が接続されたＨＤＭＩ端子２１１が設けられている。テレビ受信機２５０には、ＨＤＭＩ受信部（ＨＤＭＩ ＲＸ）２５２および高速データラインインタフェース（Ｉ／Ｆ）２５３が接続されたＨＤＭＩ端子２５１が設けられている。ＨＤＭＩケーブル３５０の一端はディスクプレーヤ２１０のＨＤＭＩ端子２１１に接続され、このＨＤＭＩケーブル３５０の他端はテレビ受信機２５０のＨＤＭＩ端子２５１に接続されている。
【００４０】
図１に示すＡＶシステム２００において、ディスクプレーヤ２１０で再生されて得られた非圧縮（ベースバンド）の画像データはＨＤＭＩケーブル３５０を介してテレビ受信機２５０に送信され、当該テレビ受信機２５０ではディスクプレーヤ２１０から送信された画像データによる画像が表示される。また、ディスクプレーヤ２１０で再生されて得られた非圧縮の音声データはＨＤＭＩケーブル３５０を介してテレビ受信機２５０に送信され、当該テレビ受信機２５０ではディスクプレーヤ２１０から送信された音声データによる音声が出力される。
【００４１】
なお、ディスクプレーヤ２１０から送信されてくる画像データが立体視画像を表示するための３Ｄ画像データ（立体画像データ）である場合には、テレビ受信機２５０では、ユーザに立体画像を提供するための立体視画像が表示される。
【００４２】
この立体視画像の表示方式例についてさらに説明する。立体視画像の表示方式としては、例えば、図２（ａ）に示すように、フィールド毎に、左眼（Ｌ）画像と右眼（Ｒ）画像とを交互に表示する方式、いわゆる「フィールドシーケンシャル方式」がある。この表示方式では、通常のフレームレートの倍の駆動が必要となる。また、この表示方式では、表示部に光学的なフィルムを被着する必要はないが、ユーザが掛けるメガネ側で表示部のフィールドに同期して偏光フィルタを切換える必要がある。
【００４３】
また、立体視画像の表示方式としては、例えば、図２（ｂ）に示すように、ライン毎に左眼（Ｌ）画像と右眼（Ｒ）画像とを切り換えて表示する方式、いわゆる「位相差プレート方式」がある。この表示方式では、ユーザが掛ける偏光メガネにより、逆眼の画像の光を減衰させることで立体視を実現する。
【００４４】
図３は、ディスクプレーヤ２１０の構成例を示している。このディスクプレーヤ２１０は、ＨＤＭＩ端子２１１と、ＨＤＭＩ送信部２１２と、高速データラインインタフェース２１３と、ＤＴＣＰ(Digital Transmission Content Protection)回路２３０とを有している。また、このディスクプレーヤ２１０は、ＣＰＵ(Central Processing Unit)２１４と、ＣＰＵバス２１５と、フラッシュＲＯＭ(Read Only Memory)２１６と、ＳＤＲＡＭ(Synchronous DRAM)２１７と、リモコン受信部２１８と、リモコン送信機２１９とを有している。
【００４５】
また、ディスクプレーヤ２１０は、ＩＤＥインタフェース２２０と、ＢＤ(Blu-ray Disc)ドライブ２２１と、内部バス２２２と、イーサネットインタフェース（Ethernet I/F）２２３と、ネットワーク端子２２４とを有している。また、ディスクプレーヤ２１０は、ＭＰＥＧ(Moving Picture Expert Group)デコーダ２２５と、グラフィック生成回路２２６と、映像出力端子２２７と、音声出力端子２２８と、３Ｄ信号処理部２２９とを有している。なお、「イーサネット」および「Ｅｔｈｅｒｎｅｔ」は登録商標である。
【００４６】
ＣＰＵ２１４、フラッシュＲＯＭ２１６、ＳＤＲＡＭ２１７およびリモコン受信部２１８は、ＣＰＵバス２１５に接続されている。また、ＣＰＵ２１４、ＩＤＥインタフェース２２０、イーサネットインタフェース２２３、ＤＴＣＰ回路２３０およびＭＰＥＧデコーダ２２５は、内部バス２２２に接続されている。
【００４７】
ＣＰＵ２１４は、ディスクプレーヤ２１０の各部の動作を制御する。フラッシュＲＯＭ２１６は、制御ソフトウェアの格納およびデータの保管を行う。ＳＤＲＡＭ２１７は、ＣＰＵ２１４のワークエリアを構成する。ＣＰＵ２１４は、フラッシュＲＯＭ２１６から読み出したソフトウェアやデータをＳＤＲＡＭ２１７上に展開してソフトウェアを起動させ、ディスクプレーヤ２１０の各部を制御する。リモコン受信部２１８は、リモコン送信機２１９から送信されたリモーコントロール信号（リモコンコード）を受信し、ＣＰＵ２１４に供給する。ＣＰＵ２１４は、リモコンコードに従ってディスクプレーヤ２１０の各部を制御する。
【００４８】
ＢＤドライブ２２１は、ディスク状記録メディアとしてのＢＤ（図示せず）に対して、コンテンツデータを記録し、あるいは、このＢＤからコンテンツデータを再生する。このＢＤドライブ２２１は、ＩＤＥインタフェース２２０を介して内部バス２２２に接続されている。ＭＰＥＧデコーダ２２５は、ＢＤドライブ２２１で再生されたＭＰＥＧ２ストリームに対してデコード処理を行って画像および音声のデータを得る。
【００４９】
ＤＴＣＰ回路２３０は、ＢＤドライブ２２１で再生されたコンテンツデータを、ネットワーク端子２２４を介してネットワークに、あるいは高速データラインインタフェース２１３からＨＤＭＩ端子２１１を介して双方向通信路に送出する際に、必要に応じて暗号化する。
【００５０】
グラフィック生成回路２２６は、ＭＰＥＧデコーダ２２５で得られた画像データに対して、必要に応じてグラフィックスデータの重畳処理等を行う。映像出力端子２２７は、グラフィック生成回路２２６から出力される画像データを出力する。音声出力端子２２８は、ＭＰＥＧデコーダ２２５で得られた音声データを出力する。
【００５１】
ＨＤＭＩ送信部（ＨＤＭＩソース）２１２は、ＨＤＭＩに準拠した通信により、ベースバンドの画像（映像）と音声のデータを、ＨＤＭＩ端子２１１から送出する。このＨＤＭＩ送信部２１２の詳細は後述する。高速データラインインタフェース２１３は、ＨＤＭＩケーブル３５０を構成する所定ライン（この実施の形態においては、リザーブライン、ＨＰＤライン）を用いて構成される双方向通信路のインタフェースである。
【００５２】
この高速データラインインタフェース２１３は、イーサネットインタフェース２２３とＨＤＭＩ端子２１１との間に挿入されている。この高速データラインインタフェース２１３は、ＣＰＵ２１４から供給される送信データを、ＨＤＭＩ端子２１１からＨＤＭＩケーブル３５０を介して相手側の機器に送信する。また、この高速データラインインタフェース２１３は、ＨＤＭＩケーブル３５０からＨＤＭＩ端子２１１を介して相手側の機器から受信された受信データをＣＰＵ２１４に供給する。この高速データラインインタフェース２１３の詳細は後述する。
【００５３】
３Ｄ信号処理部２２９は、ＭＰＥＧデコーダ２２５で得られた画像データのうち、立体視画像を表示するための３Ｄ画像データをＨＤＭＩのＴＭＤＳチャネルで送信する際に、当該３Ｄ画像データを伝送方式に応じた状態に加工処理する。ここで、３Ｄ画像データは、左眼画像データおよび右眼画像データで構成されるか、あるいは２次元画像データおよび各画素に対応した奥行きデータで構成される（ＭＰＥＧ−Ｃ方式）。３Ｄ画像データの伝送方式の種類、伝送方式の選択、各方式のパッキングフォーマット等の詳細は後述する。
【００５４】
図３に示すディスクプレーヤ２１０の動作を簡単に説明する。記録時には、図示されないデジタルチューナのＭＰＥＧストリーム、あるいはネットワーク端子２２４からイーサネットインタフェース２２３を介して、あるいはＨＤＭＩ端子２１１から高速データラインインタフェース２１３およびイーサネットインタフェース２２３を介して、記録すべきコンテンツデータが取得される。このコンテンツデータは、ＩＤＥインタフェース２２０に入力され、ＢＤドライブ２２１によりＢＤに記録される。場合によってはＩＤＥインタフェース２２０に接続された、図示されないＨＤＤ（ハードディスクドライブ）に記録してもよい。
【００５５】
再生時には、ＢＤドライブ２２１によりＢＤから再生されたコンテンツデータ（ＭＰＥＧストリーム）は、ＩＤＥインタフェース２２０を介してＭＰＥＧデコーダ２２５に供給される。ＭＰＥＧデコーダ２２５では、再生されたコンテンツデータに対してデコード処理が行われ、ベースバンドの画像および音声のデータが得られる。画像データは、グラフィック生成回路２２６を通じて映像出力端子２２７に出力される。また、音声データは、音声出力端子２２８に出力される。
【００５６】
また、この再生時に、ＭＰＥＧデコーダ２２５で得られた画像および音声のデータをＨＤＭＩのＴＭＤＳチャネルで送信する場合には、これら画像および音声のデータは、ＨＤＭＩ送信部２１２に供給されてパッキングされ、このＨＤＭＩ送信部２１２からＨＤＭＩ端子２１１に出力される。なお、画像データが３Ｄ画像データである場合には、この３Ｄ画像データは、３Ｄ信号処理部２２９により、選択された伝送方式に応じた状態に加工処理された後に、ＨＤＭＩ送信部２１２に供給される。
【００５７】
また、再生時に、ＢＤドライブ２２１で再生されたコンテンツデータをネットワークに送出する際には、当該コンテンツデータは、ＤＴＣＰ回路２３０で暗号化された後、イーサネットインタフェース２２３を介して、ネットワーク端子２２４に出力される。同様に、再生時に、ＢＤドライブ２２１で再生されたコンテンツデータをＨＤＭＩケーブル３５０の双方向通信路に送出する際には、当該コンテンツデータは、ＤＴＣＰ回路２３０で暗号化された後、イーサネットインタフェース２２３、高速データラインインタフェース２１３を介して、ＨＤＭＩ端子２１１に出力される。
【００５８】
図４は、テレビ受信機２５０の構成例を示している。このテレビ受信機２５０は、ＨＤＭＩ端子２５１と、ＨＤＭＩ受信部２５２と、高速データラインインタフェース２５３と、３Ｄ信号処理部２５４とを有している。また、テレビ受信機２５０は、アンテナ端子２５５と、デジタルチューナ２５６と、デマルチプレクサ２５７と、ＭＰＥＧデコーダ２５８と、映像信号処理回路２５９と、グラフィック生成回路２６０と、パネル駆動回路２６１と、表示パネル２６２とを有している。
【００５９】
また、テレビ受信機２５０は、音声信号処理回路２６３と、音声増幅回路２６４と、スピーカ２６５と、内部バス２７０と、ＣＰＵ２７１と、フラッシュＲＯＭ２７２と、ＤＲＡＭ(Dynamic Random Access Memory)２７３とを有している。また、テレビ受信機２５０は、イーサネットインタフェース（Ethernet I/F）２７４と、ネットワーク端子２７５と、リモコン受信部２７６と、リモコン送信機２７７と、ＤＴＣＰ回路２７８とを有している。
【００６０】
アンテナ端子２５５は、受信アンテナ（図示せず）で受信されたテレビ放送信号を入力する端子である。デジタルチューナ２５６は、アンテナ端子２５５に入力されたテレビ放送信号を処理して、ユーザの選択チャネルに対応した所定のトランスポートストリームを出力する。デマルチプレクサ２５７は、デジタルチューナ２５６で得られたトランスポートストリームから、ユーザの選択チャネルに対応した、パーシャルＴＳ（Transport Stream）（映像データのＴＳパケット、音声データのＴＳパケット）を抽出する。
【００６１】
また、デマルチプレクサ２５７は、デジタルチューナ２５６で得られたトランスポートストリームから、ＰＳＩ／ＳＩ(Program Specific Information/Service Information)を取り出し、ＣＰＵ２７１に出力する。デジタルチューナ２５６で得られたトランスポートストリームには、複数のチャネルが多重化されている。デマルチプレクサ２５７で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００６２】
ＭＰＥＧデコーダ２５８は、デマルチプレクサ２５７で得られる映像データのＴＳパケットにより構成される映像ＰＥＳ(Packetized Elementary Stream)パケットに対してデコード処理を行って画像データを得る。また、ＭＰＥＧデコーダ２５８は、デマルチプレクサ２５７で得られる音声データのＴＳパケットにより構成される音声ＰＥＳパケットに対してデコード処理を行って音声データを得る。
【００６３】
映像信号処理回路２５９およびグラフィック生成回路２６０は、ＭＰＥＧデコーダ２５８で得られた画像データ、あるいはＨＤＭＩ受信部２５２で受信された画像データに対して、必要に応じてスケーリング処理（解像度変換処理）、グラフィックスデータの重畳処理等を行う。また、映像信号処理回路２５９は、ＨＤＭＩ受信部２５２で受信された画像データが、３Ｄ画像データである場合には、左眼画像データおよび右眼画像データに対して、立体視画像（図２参照）を表示するための処理を行う。パネル駆動回路２６１は、グラフィック生成回路２６０から出力される映像（画像）データに基づいて、表示パネル２６２を駆動する。
【００６４】
表示パネル２６２は、例えば、ＬＣＤ(Liquid Crystal Display)、ＰＤＰ(Plasma Display Panel)等で構成されている。音声信号処理回路２６３はＭＰＥＧデコーダ２５８で得られた音声データに対してＤ／Ａ変換等の必要な処理を行う。音声増幅回路２６４は、音声信号処理回路２６３から出力される音声信号を増幅してスピーカ２６５に供給する。
【００６５】
ＣＰＵ２７１は、テレビ受信機２５０の各部の動作を制御する。フラッシュＲＯＭ２７２は、制御ソフトウェアの格納およびデータの保管を行う。ＤＲＡＭ２７３は、ＣＰＵ２７１のワークエリアを構成する。ＣＰＵ２７１は、フラッシュＲＯＭ２７２から読み出したソフトウェアやデータをＤＲＡＭ２７３上に展開してソフトウェアを起動させ、テレビ受信機２５０の各部を制御する。
【００６６】
リモコン受信部２７６は、リモコン送信機２７７から送信されたリモーコントロール信号（リモコンコード）を受信し、ＣＰＵ２７１に供給する。ＣＰＵ２７１は、このリモコンコードに基づいて、テレビ受信機２５０の各部を制御する。ネットワーク端子２７５は、ネットワークに接続する端子であり、イーサネットインタフェース２７４に接続される。ＣＰＵ２７１、フラッシュＲＯＭ２７２、ＤＲＡＭ２７３およびイーサネットインタフェース２７４は、内部バス２７０に接続されている。
【００６７】
ＤＴＣＰ回路２７８は、ネットワーク端子２７５あるいは高速データラインインタフェース２５３からイーサネットインタフェース２７４に供給される暗号化データを復号する。
【００６８】
ＨＤＭＩ受信部（ＨＤＭＩシンク）２５２は、ＨＤＭＩに準拠した通信により、ＨＤＭＩケーブル３５０を介してＨＤＭＩ端子２５１に供給されるベースバンドの画像（映像）と音声のデータを受信する。このＨＤＭＩ受信部２５２の詳細は後述する。高速データラインインタフェース２５３は、上述したディスクプレーヤ２１０の高速データラインインタフェース２１３と同様に、ＨＤＭＩケーブル３５０を構成する所定のライン（この実施の形態においては、リザーブライン、ＨＰＤライン）を用いて構成される双方向通信路のインタフェースである。
【００６９】
この高速データラインインタフェース２５３は、イーサネットインタフェース２７４とＨＤＭＩ端子２５１との間に挿入されている。この高速データラインインタフェース２５３は、ＣＰＵ２７１から供給される送信データを、ＨＤＭＩ端子２５１からＨＤＭＩケーブル３５０を介して相手側の機器に送信する。また、この高速データラインインタフェース２５３は、ＨＤＭＩケーブル３５０からＨＤＭＩ端子２５１を介して相手側の機器から受信された受信データをＣＰＵ２７１に供給する。この高速データラインインタフェース２５３の詳細は後述する。
【００７０】
３Ｄ信号処理部２５４は、ＨＤＭＩ受信部２５２で受信された３Ｄ画像データに対して、伝送方式に対応した処理（デコード処理）を行って、左眼画像データおよび右眼画像データを生成する。すなわち、この３Ｄ信号処理部２５４は、上述したディスクプレーヤ２１０の３Ｄ信号処理部２２９とは逆の処理を行って、３Ｄ画像データを構成する、左眼画像データおよび右眼画像データ、あるいは２次元画像データおよび奥行きデータを取得する。また、この３Ｄ信号処理部２２９は、２次元画像データおよび奥行きデータを取得した場合には（ＭＰＥＧ−Ｃ方式）、さらに、これら２次元画像データおよび奥行きデータを用いて、左眼画像データおよび右眼画像データを生成する演算を行う。
【００７１】
図４に示すテレビ受信機２５０の動作を簡単に説明する。アンテナ端子２５５に入力されたテレビ放送信号はデジタルチューナ２５６に供給される。このデジタルチューナ２５６では、テレビ放送信号を処理して、ユーザの選択チャネルに対応した所定のトランスポートストリームが出力され、当該所定のトランスポートストリームはデマルチプレクサ２５７に供給される。このデマルチプレクサ２５７では、トランスポートストリームから、ユーザの選択チャネルに対応した、パーシャルＴＳ（映像データのＴＳパケット、音声データのＴＳパケット）が抽出され、当該パーシャルＴＳはＭＰＥＧデコーダ２５８に供給される。
【００７２】
ＭＰＥＧデコーダ２５８では、映像データのＴＳパケットにより構成される映像ＰＥＳパケットに対してデコード処理が行われて映像データが得られる。この映像データは、映像信号処理回路２５９およびグラフィック生成回路２６０において、必要に応じて、スケーリング処理（解像度変換処理）、スケーリング処理、グラフィックスデータの重畳処理等が行われた後に、パネル駆動回路２６１に供給される。そのため、表示パネル２６２には、ユーザの選択チャネルに対応した画像が表示される。
【００７３】
また、ＭＰＥＧデコーダ２５８では、音声データのＴＳパケットにより構成される音声ＰＥＳパケットに対してデコード処理が行われて音声データが得られる。この音声データは、音声信号処理回路２６３でＤ／Ａ変換等の必要な処理が行われ、さらに、音声増幅回路２６４で増幅された後に、スピーカ２６５に供給される。そのため、スピーカ２６５から、ユーザの選択チャネルに対応した音声が出力される。
【００７４】
また、ネットワーク端子２７５からイーサネットインタフェース２７４に供給される、あるいは、ＨＤＭＩ端子２５１から高速データラインインタフェース２５３を介してイーサネットインタフェース２７４に供給される、暗号化されているコンテンツデータ（画像データ、音声データ）は、ＤＴＣＰ回路２７４で復号化された後に、ＭＰＥＧデコーダ２５８に供給される。以降は、上述したテレビ放送信号の受信時と同様の動作となり、表示パネル２６２に画像が表示され、スピーカ２６５から音声が出力される。
【００７５】
また、ＨＤＭＩ受信部２５２では、ＨＤＭＩ端子２５１にＨＤＭＩケーブル３５０を介して接続されているディスクプレーヤ２１０から送信されてくる、画像データおよび音声データが取得される。画像データは、３Ｄ信号処理部２５４を介して映像信号処理回路２５９に供給される。また、音声データは、直接、音声信号処理回路２６３に供給される。以降は、上述したテレビ放送信号の受信時と同様の動作となり、表示パネル２６２に画像が表示され、スピーカ２６５から音声が出力される。
【００７６】
なお、ＨＤＭＩ受信部２５２で受信された画像データが３Ｄ画像データである場合には、３Ｄ信号処理部２５４において、当該３Ｄ画像データに対して伝送方式に対応した処理（デコード処理）が行われ、左眼画像データおよび右眼画像データが生成される。そして、３Ｄ信号処理部２５４から映像信号処理部２５９には、左眼画像データおよび右眼画像データが供給される。また、映像信号処理回路２５９では、３Ｄ画像データを構成する左眼画像データおよび右眼画像データが供給される場合には、左眼画像データおよび右眼画像データに基づいて、立体視画像（図２参照）を表示するための画像データが生成される。そのため、表示パネル２６２には、立体視画像が表示される。
【００７７】
図５は、図１のＡＶシステム２００における、ディスクプレーヤ２１０のＨＤＭＩ送信部（ＨＤＭＩソース）２１２と、テレビ受信機２５０のＨＤＭＩ受信部（ＨＤＭＩシンク）２５２の構成例を示している。
【００７８】
ＨＤＭＩ送信部２１２は、一の垂直同期信号から次の垂直同期信号までの区間から、水平帰線区間及び垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩ受信部２５２に一方向に送信するとともに、水平帰線区間または垂直帰線区間において、少なくとも画像に付随する音声データや制御データ、その他の補助データ等に対応する差動信号を、複数のチャネルで、ＨＤＭＩ受信部２５２に一方向に送信する。
【００７９】
すなわち、ＨＤＭＩ送信部２１２は、ＨＤＭＩトランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブル３５０を介して接続されているＨＤＭＩ受信部２５２に、一方向にシリアル伝送する。
【００８０】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブル３５０を介して接続されているＨＤＭＩ受信部２５２に、一方向にシリアル伝送する。
【００８１】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブル３５０を介して接続されているＨＤＭＩ受信部２５２に送信する。ここで、１つのＴＭＤＳチャネル＃ｉ（ｉ=０，１，２）では、ピクセルクロックの１クロックの間に、１０ビットの画素データが送信される。
【００８２】
ＨＤＭＩ受信部２５２は、アクティブビデオ区間において、複数のチャネルで、ＨＤＭＩ送信部２１２から一方向に送信されてくる、画素データに対応する差動信号を受信するとともに、水平帰線区間または垂直帰線区間において、複数のチャネルで、ＨＤＭＩ送信部２１２から一方向に送信されてくる、音声データや制御データに対応する差動信号を受信する。
【００８３】
すなわち、ＨＤＭＩ受信部２５２は、ＨＤＭＩレシーバ８２を有する。レシーバ８２は、ＴＭＤＳチャネル＃０，＃１，＃２で、ＨＤＭＩケーブル３５０を介して接続されているＨＤＭＩ送信部２１２から一方向に送信されてくる、画素データに対応する差動信号と、音声データや制御データに対応する差動信号を、同じくＨＤＭＩ送信部２１２からＴＭＤＳクロックチャネルで送信されてくるピクセルクロックに同期して受信する。
【００８４】
ＨＤＭＩ送信部２１２とＨＤＭＩ受信部２５２とからなるＨＤＭＩシステムの伝送チャネルには、ＨＤＭＩ送信部２１２からＨＤＭＩ受信部２５２に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣライン８４と呼ばれる伝送チャネルがある。
【００８５】
ＤＤＣ８３は、ＨＤＭＩケーブル３５０に含まれる図示しない２本の信号線からなり、ＨＤＭＩ送信部２１２が、ＨＤＭＩケーブル３５０を介して接続されたＨＤＭＩ受信部２５２から、Ｅ−ＥＤＩＤ（Enhanced Extended Display Identification Data）を読み出すために使用される。
【００８６】
すなわち、ＨＤＭＩ受信部２５２は、ＨＤＭＩレシーバ８１の他に、自身の性能（Configuration/capability）に関する性能情報であるＥ−ＥＤＩＤを記憶している、ＥＤＩＤ  ＲＯＭ(Read Only Memory)８５を有している。ＨＤＭＩ送信部２１２は、例えば、ＣＰＵ２１４からの要求に応じて、ＨＤＭＩケーブル３５０を介して接続されているＨＤＭＩ受信部２５２から、当該ＨＤＭＩ受信部２５２のＥ−ＥＤＩＤを、ＤＤＣ８３を介して読み出す。ＨＤＭＩ送信部２１２は、読み出したＥ−ＥＤＩＤをＣＰＵ２１４に送る。ＣＰＵ２１４は、このＥ−ＥＤＩＤを、フラッシュＲＯＭ２７２あるいはＤＲＡＭ２７３に格納する。
【００８７】
ＣＰＵ２１４は、Ｅ−ＥＤＩＤに基づき、ＨＤＭＩ受信部２５２の性能の設定を認識できる。例えば、ＣＰＵ２１４は、ＨＤＭＩ受信部２５２を有する電子機器が対応している画像のフォーマット（プロファイル）、例えば、ＲＧＢ、ＹＣbＣr４：４：４、ＹＣbＣr４：２：２等を認識する。また、この実施の形態において、ＣＰＵ２１４は、Ｅ−ＥＤＩＤに含まれる３Ｄ画像データの伝送方式情報に基づき、ＨＤＭＩ受信部２５２を有する電子機器が対応可能な３Ｄ画像・音声データの伝送方式を認識する。
【００８８】
ＣＥＣライン８４は、ＨＤＭＩケーブル３５０に含まれる図示しない１本の信号線からなり、ＨＤＭＩ送信部２１２とＨＤＭＩ受信部２５２との間で、制御用のデータの双方向通信を行うのに用いられる。
【００８９】
また、ＨＤＭＩケーブル３５０には、ＨＰＤ(Hot Plug Detect)と呼ばれるピンに接続されるライン（ＨＰＤライン）８６が含まれている。ソース機器は、当該ライン８６を利用して、シンク機器の接続を検出することができる。また、ＨＤＭＩケーブル３５０には、ソース機器からシンク機器に電源を供給するために用いられるライン８７が含まれている。さらに、ＨＤＭＩケーブル３５０には、リザーブライン８８が含まれている。
【００９０】
図６は、図５のＨＤＭＩトランスミッタ８１とＨＤＭＩレシーバ８２の構成例を示している。
【００９１】
ＨＤＭＩトランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇ component）はエンコーダ／シリアライザ８１Ｂに供給され、Ｒ成分（Ｒ component）はエンコーダ／シリアライザ８１Ｃに供給される。
【００９２】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【００９３】
さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【００９４】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【００９５】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【００９６】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【００９７】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【００９８】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【００９９】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【０１００】
ＨＤＭＩレシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【０１０１】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【０１０２】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【０１０３】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【０１０４】
図７は、ＴＭＤＳ伝送データの構造例を示している。図７は、ＴＭＤＳチャネル＃０，＃１，＃２において、横×縦が１９２０ピクセル×１０８０ラインの画像データが伝送される場合の、各種の伝送データの区間を示している。
【０１０５】
ＨＤＭＩの３つのＴＭＤＳチャネル＃０，＃１，＃２で伝送データが伝送されるビデオフィールド（Video Field）には、伝送データの種類に応じて、ビデオデータ区間（Video Data period）、データアイランド区間（Data Island period）、およびコントロール区間（Control period）の３種類の区間が存在する。
【０１０６】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（vertical blanking）、並びに、ビデオフィールド区間から、水平ブランキング期間および垂直ブランキング期間を除いた区間であるアクティブビデオ区間（Active Video）に分けられる。
【０１０７】
ビデオデータ区間は、アクティブビデオ区間に割り当てられる。このビデオデータ区間では、非圧縮の１画面分の画像データを構成する１９２０ピクセル（画素）×１０８０ライン分の有効画素（Active pixel）のデータが伝送される。
【０１０８】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【０１０９】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【０１１０】
図８は、ＨＤＭＩ端子２１１，２５１のピン配列の一例を示している。図８に示すピン配列はタイプＡ（type-A）と呼ばれている。
【０１１１】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【０１１２】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(Serial Data)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【０１１３】
また、上述したようにソース機器がシンク機器の接続を検出するためのＨＰＤライン８６は、ピン番号が１９であるピンに接続される。また、上述したように電源を供給するためのライン８７は、ピン番号が１８であるピンに接続される。
【０１１４】
次に、ディスクプレーヤ２１０の高速データラインインタフェース２１３およびテレビ受信機２５０の高速データラインインタフェース２５３について説明する。なお、ここでは、ディスクプレーヤ２１０をソース機器とし、テレビ受信機２５０をシンク機器として説明する。
【０１１５】
図９は、ソース機器およびシンク機器の高速データラインインタフェースの構成例を示している。この高速データラインインタフェースは、ＬＡＮ(Local Area Network)通信を行う通信部を構成する。この通信部は、ＨＤＭＩケーブルを構成する複数のラインのうち、１対の差動伝送ライン、この実施の形態においては、空き（Reserve）ピン（１４ピン）に対応したリザーブライン（Ether＋ライン）、およびＨＰＤピン（１９ピン）に対応したＨＰＤライン（Ether−ライン）により構成された双方向通信路を用いて、通信を行う。
【０１１６】
ソース機器は、ＬＡＮ信号送信回路４１１、終端抵抗４１２、ＡＣ結合容量４１３，４１４、ＬＡＮ信号受信回路４１５、減算回路４１６、プルアップ抵抗４２１、ローパスフィルタを構成する抵抗４２２および容量４２３、比較器４２４、プルダウン抵抗４３１、ローパスフィルタを形成する抵抗４３２および容量４３３、並びに比較器４３４を有している。ここで、高速データラインインタフェース（高速データラインＩ／Ｆ）は、ＬＡＮ信号送信回路４１１、終端抵抗４１２、ＡＣ結合容量４１３，４１４、ＬＡＮ信号受信回路４１５、減算回路４１６により構成されている。
【０１１７】
電源線（＋５．０Ｖ）と接地線との間には、プルアップ抵抗４２１、ＡＣ結合容量４１３、終端抵抗４１２、ＡＣ結合容量４１４およびプルダウン抵抗４３１の直列回路が接続される。ＡＣ結合容量４１３と終端抵抗４１２の互いの接続点Ｐ１は、ＬＡＮ信号送信回路４１１の正出力側に接続されると共に、ＬＡＮ信号受信回路４１５の正入力側に接続される。また、ＡＣ結合容量４１４と終端抵抗４１２の互いの接続点Ｐ２は、ＬＡＮ信号送信回路４１１の負出力側に接続されると共に、ＬＡＮ信号受信回路４１５の負入力側に接続される。ＬＡＮ信号送信回路４１１の入力側には、送信信号（送信データ）ＳＧ411が供給される。
【０１１８】
また、減算回路４１６の正側端子には、ＬＡＮ信号受信回路４１５の出力信号ＳＧ412が供給され、この減算回路４１６の負側端子には、送信信号（送信データ）ＳＧ411が供給される。この減算回路４１６では、ＬＡＮ信号受信回路４１５の出力信号ＳＧ412から送信信号ＳＧ411が減算され、受信信号（受信データ）ＳＧ413が得られる。
【０１１９】
また、プルアップ抵抗４２１およびＡＣ結合容量４１３の互いの接続点Ｑ１は、抵抗４２２および容量４２３の直列回路を介して接地線に接続される。そして、抵抗４２２および容量４２３の互いの接続点に得られるローパスフィルタの出力信号は比較器４２４の一方の入力端子に供給される。この比較器４２４では、ローパスフィルタの出力信号が他方の入力端子に供給される基準電圧Ｖref1（＋３．７５Ｖ）と比較される。この比較器４２４の出力信号ＳＧ414は、ソース機器の制御部（ＣＰＵ）に供給される。
【０１２０】
また、ＡＣ結合容量４１４およびプルダウン抵抗４３１の互いの接続点Ｑ２は、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415は、ソース機器の制御部（ＣＰＵ）に供給される。
【０１２１】
シンク機器は、ＬＡＮ信号送信回路４４１、終端抵抗４４２、ＡＣ結合容量４４３，４４４、ＬＡＮ信号受信回路４４５、減算回路４４６、プルダウン抵抗４５１、ローパスフィルタを構成する抵抗４５２および容量４５３、比較器４５４、チョークコイル４６１、抵抗４６２、並びに抵抗４６３を有している。ここで、高速データラインインタフェース（高速データラインＩ／Ｆ）は、ＬＡＮ信号送信回路４４１、終端抵抗４４２、ＡＣ結合容量４４３，４４４、ＬＡＮ信号受信回路４４５、減算回路４４６により構成されている。
【０１２２】
電源線（＋５．０Ｖ）と接地線との間には、抵抗４６２および抵抗４６３の直列回路が接続される。そして、この抵抗４６２と抵抗４６３の互いの接続点と、接地線との間には、チョークコイル４６１、ＡＣ結合容量４４４、終端抵抗４４２、ＡＣ結合容量４４３およびプルダウン抵抗４５１の直列回路が接続される。
【０１２３】
ＡＣ結合容量４４３と終端抵抗４４２の互いの接続点Ｐ３は、ＬＡＮ信号送信回路４４１の正出力側に接続されると共に、ＬＡＮ信号受信回路４４５の正入力側に接続される。また、ＡＣ結合容量４４４と終端抵抗４４２の互いの接続点Ｐ４は、ＬＡＮ信号送信回路４４１の負出力側に接続されると共に、ＬＡＮ信号受信回路４４５の負入力側に接続される。ＬＡＮ信号送信回路４４１の入力側には、送信信号（送信データ）ＳＧ417が供給される。
【０１２４】
また、減算回路４４６の正側端子には、ＬＡＮ信号受信回路４４５の出力信号ＳＧ418が供給され、この減算回路４４６の負側端子には、送信信号ＳＧ417が供給される。この減算回路４４６では、ＬＡＮ信号受信回路４４５の出力信号ＳＧ418から送信信号ＳＧ417が減算され、受信信号（受信データ）ＳＧ419が得られる。
【０１２５】
また、プルダウン抵抗４５１およびＡＣ結合容量４４３の互いの接続点Ｑ３は、抵抗４５２および容量４５３の直列回路を介して接地線に接続される。そして、抵抗４５２および容量４５３の互いの接続点に得られるローパスフィルタの出力信号は比較器４５４の一方の入力端子に供給される。この比較器４５４では、ローパスフィルタの出力信号が他方の入力端子に供給される基準電圧Ｖref3（＋１．２５Ｖ）と比較される。この比較器４５４の出力信号ＳＧ416は、シンク機器の制御部（ＣＰＵ）に供給される。
【０１２６】
ＨＤＭＩケーブルに含まれるリザーブライン５０１およびＨＰＤライン５０２は、差動ツイストペアを構成している。リザーブライン５０１のソース側端５１１は、ソース機器のＨＤＭＩ端子の１４ピンに接続され、当該リザーブライン５０１のシンク側端５２１はシンク機器のＨＤＭＩ端子の１４ピンに接続される。また、ＨＰＤライン５０２のソース側端５１２はソース機器のＨＤＭＩ端子の１９ピンに接続され、当該ＨＰＤライン５０２のシンク側端５２２はシンク機器のＨＤＭＩ端子の１９ピンに接続される。
【０１２７】
ソース機器において、上述したプルアップ抵抗４２１とＡＣ結合容量４１３の互いの接続点Ｑ１は、ＨＤＭＩ端子の１４ピンに接続され、また、上述したプルダウン抵抗４３１とＡＣ結合容量４１４の互いの接続点Ｑ２はＨＤＭＩ端子の１９ピンに接続される。一方、シンク機器において、上述したプルダウン抵抗４５１とＡＣ結合容量４４３の互いの接続点Ｑ３はＨＤＭＩ端子の１４ピンに接続され、また、上述したチョークコイル４６１とＡＣ結合容量４４４の互いの接続点Ｑ４はＨＤＭＩ端子の１９ピンに接続される。
【０１２８】
次に、上述したように構成された、高速データラインインタフェースによるＬＡＮ通信の動作を説明する。
【０１２９】
ソース機器において、送信信号（送信データ）ＳＧ411はＬＡＮ信号送信回路４１１の入力側に供給され、このＬＡＮ信号送信回路４１１から送信信号ＳＧ411に対応した差動信号（正出力信号、負出力信号）が出力される。そして、ＬＡＮ信号送信回路４１１から出力される差動信号は、接続点Ｐ１，Ｐ２に供給され、ＨＤＭＩケーブルの１対の差動伝送ライン（リザーブライン５０１、ＨＰＤライン５０２）を通じて、シンク機器に送信される。
【０１３０】
また、シンク機器において、送信信号（送信データ）ＳＧ417はＬＡＮ信号送信回路４４１の入力側に供給され、このＬＡＮ信号送信回路４４１から送信信号ＳＧ417に対応した差動信号（正出力信号、負出力信号）が出力される。そして、ＬＡＮ信号送信回路４４１から出力される差動信号は、接続点Ｐ３，Ｐ４に供給され、ＨＤＭＩケーブルの１対のライン（リザーブライン５０１、ＨＰＤライン５０２）を通じて、ソース機器に送信される。
【０１３１】
また、ソース機器において、ＬＡＮ信号受信回路４１５の入力側は接続点Ｐ１，Ｐ２に接続されていることから、当該ＬＡＮ信号受信回路４１５の出力信号ＳＧ412として、ＬＡＮ信号送信回路４１１から出力された差動信号（電流信号）に対応した送信信号と、上述したようにシンク機器から送信されてくる差動信号に対応した受信信号との加算信号が得られる。減算回路４１６では、ＬＡＮ信号受信回路４１５の出力信号ＳＧ412から送信信号ＳＧ411が減算される。そのため、この減算回路４１６の出力信号ＳＧ413は、シンク機器の送信信号（送信データ）ＳＧ417に対応したものとなる。
【０１３２】
また、シンク機器において、ＬＡＮ信号受信回路４４５の入力側は接続点Ｐ３，Ｐ４に接続されていることから、当該ＬＡＮ信号受信回路４４５の出力信号ＳＧ418として、ＬＡＮ信号送信回路４４１から出力された差動信号（電流信号）に対応した送信信号と、上述したようにソース機器から送信されてくる差動信号に対応した受信信号との加算信号が得られる。減算回路４４６では、ＬＡＮ信号受信回路４４５の出力信号ＳＧ418から送信信号ＳＧ417が減算される。そのため、この減算回路４４６の出力信号ＳＧ419は、ソース機器の送信信号（送信データ）ＳＧ411に対応したものとなる。
【０１３３】
このように、ソース機器の高速データラインインタフェースと、シンク機器の高速データラインインタフェースとの間では、双方向のＬＡＮ通信を行うことができる。
【０１３４】
なお、図９において、ＨＰＤライン５０２は、上述のＬＡＮ通信の他に、ＤＣバイアスレベルで、ＨＤＭＩケーブルがシンク機器に接続されたことをソース機器に伝達する。すなわち、シンク機器内の抵抗４６２，４６３とチョークコイル４６１は、ＨＤＭＩケーブルがシンク機器に接続されるとき、ＨＰＤライン５０２を、ＨＤＭＩ端子の１９ピンを介して、約４Ｖにバイアスする。ソース機器は、ＨＰＤライン５０２のＤＣバイアスを、抵抗４３２と容量４３３からなるローパスフィルタで抽出し、比較器４３４で基準電圧Vref2（例えば、１．４Ｖ）と比較する。
【０１３５】
ソース機器のＨＤＭＩ端子の１９ピンの電圧は、ＨＤＭＩケーブルがシンク機器に接続されていなければ、プルダウン抵抗４３１が存在するために基準電圧Ｖref2より低く、逆に、ＨＤＭＩケーブルがシンク機器に接続されていれば基準電圧Ｖref2より高い。したがって、比較器４３４の出力信号ＳＧ415は、ＨＤＭＩケーブルがシンク機器に接続されているときは高レベルとなり、そうでないときは低レベルとなる。これにより、ソース機器の制御部（ＣＰＵ）は、比較器４３４の出力信号ＳＧ415に基づいて、ＨＤＭＩケーブルがシンク機器に接続されたか否かを認識できる。
【０１３６】
また、図９において、リザーブライン５０１のＤＣバイアス電位で、ＨＤＭＩケーブルの両端に接続された機器が、ＬＡＮ通信が可能な機器（以下、「ｅＨＤＭＩ対応機器」という）であるか、ＬＡＮ通信が不可能な機器（以下、「ｅＨＤＭＩ非対応機器」かを、相互に認識する機能を有している。
【０１３７】
上述したように、ソース機器はリザーブライン５０１を抵抗４２１でプルアップ（＋５Ｖ）し、シンク機器はリザーブライン５０１を抵抗４５１でプルダウンする。抵抗４２１，４５１は、ｅＨＤＭＩ非対応機器には存在しない。
【０１３８】
ソース機器は、上述したように、比較器４２４で、抵抗４２２および容量４２３からなるローパスフィルタを通過したリザーブライン５０１のＤＣ電位を基準電圧Ｖref1と比較する。シンク機器が、ｅＨＤＭＩ対応機器でプルダウン抵抗４５１があるときには、リザーブライン５０１の電圧が２．５Ｖとなる。しかし、シンク機器が、ｅＨＤＭＩ非対応機器でプルダウン抵抗４５１がないときには、リザーブライン５０１の電圧がプルアップ抵抗４２１の存在により５Ｖとなる。
【０１３９】
そのため、基準電圧Ｖref1が例えば３．７５Ｖとされることで、比較器４２４の出力信号ＳＧ414は、シンク機器がｅＨＤＭＩ対応機器であるときは低レベルとなり、そうでないときは高レベルとなる。これにより、ソース機器の制御部（ＣＰＵ）は、比較器４２４の出力信号ＳＧ414に基づいて、シンク機器がｅＨＤＭＩ対応機器であるか否かを認識できる。
【０１４０】
同様に、シンク機器は、上述したように、比較器４５４で、抵抗４５２および容量４５３からなるローパスフィルタを通過したリザーブライン５０１のＤＣ電位を基準電圧Ｖref3と比較する。ソース機器が、ｅＨＤＭＩ対応機器でプルアップ抵抗４２１があるときには、リザーブライン５０１の電圧が２．５Ｖとなる。しかし、ソース機器が、ｅＨＤＭＩ非対応機器でプルアップ抵抗４２１がないときには、リザーブライン５０１の電圧がプルダウン抵抗４５１の存在により０Ｖとなる。
【０１４１】
そのため、基準電圧Ｖref3が例えば１．２５Ｖとされることで、比較器４５４の出力信号ＳＧ416は、ソース機器がｅＨＤＭＩ対応機器であるときは高レベルとなり、そうでないときは低レベルとなる。これにより、シンク機器の制御部（ＣＰＵ）は、比較器４５４の出力信号ＳＧ416に基づいて、ソース機器がｅＨＤＭＩ対応機器であるか否かを認識できる。
【０１４２】
図９に示す構成例によれば、１本のＨＤＭＩケーブルで画像（映像）と音声のデータ伝送と接続機器情報の交換および認証と機器制御データの通信とＬＡＮ通信を行うインタフェースにおいて、ＬＡＮ通信が１対の差動伝送路を介した双方向通信で行われ、伝送路のうちの少なくとも片方のＤＣバイアス電位によってインタフェースの接続状態が通知されることから、物理的にＳＣＬライン、ＳＤＡラインをＬＡＮ通信につかわない空間的分離を行うことが可能となる。その結果、ＤＤＣに関して規定された電気的仕様と無関係にＬＡＮ通信のための回路を形成することができ、安定で確実なＬＡＮ通信が安価に実現できる。
【０１４３】
なお、図９に示したプルアップ抵抗４２１が、ソース機器内ではなく、ＨＤＭＩケーブル内に設けられているようにしてもよい。そのような場合、プルアップ抵抗４２１の端子のそれぞれは、ＨＤＭＩケーブル内に設けられたラインのうち、リザーブライン５０１、および電源（電源電位）に接続されるライン（信号線）のそれぞれに接続される。
【０１４４】
さらに、図９に示したプルダウン抵抗４５１および抵抗４６３がシンク機器内ではなく、ＨＤＭＩケーブル内に設けられているようにしてもよい。そのような場合、プルダウン抵抗４５１の端子のそれぞれは、ＨＤＭＩケーブル内に設けられたラインのうち、リザーブライン５０１、およびグランド（基準電位）に接続されるライン（グランド線）のそれぞれに接続される。また、抵抗４６３の端子のそれぞれは、ＨＤＭＩケーブル内に設けられたラインのうち、ＨＰＤライン５０２、およびグランド（基準電位）に接続されるライン（グランド線）のそれぞれに接続される。
【０１４５】
次に、３Ｄ画像データの伝送方式について説明する。最初に、原信号の３Ｄ画像データが、左眼（Ｌ）画像および右眼（Ｒ）の画像データで構成される場合について説明する。ここでは、図１０に示すように、左眼（Ｌ）および右眼（Ｒ）の画像データが、それぞれ、１９２０×１０８０ｐのピクセルフォーマットの画像データである場合を例にとって説明する。この原信号を、ベースバンドデジタルインタフェースで伝送する際、例えば、以下の６通りの伝送方式が考えられる。
【０１４６】
方式（１）〜（３）は、原信号の品位を低下させることなく伝送が可能であることから、最も望ましい方式である。しかし、伝送帯域が現状の２倍必要となることから、伝送帯域に余裕がある際に可能となる。また、方式（４）〜（６）は、現状の１９２０×１０８０ｐの伝送帯域で３Ｄ画像データを伝送する際の方式である。
【０１４７】
方式（１）は、図１１（ａ）に示すように、左眼画像データのピクセルデータと右眼画像データのピクセルデータとをＴＭＤＳクロック毎に順次切り換えて伝送する方式である。この場合、ピクセルクロックの周波数は従来と同じでよいが、ピクセル毎の切り換え回路が必要となる。なお、図１１（ａ）では、水平方向のピクセル数を３８４０ピクセルとしたが、１９２０ピクセル２ラインで構成してもよい。
【０１４８】
方式（２）は、図１１（ｂ）に示すように、左眼画像データの１ライン分と右眼画像データの１ライン分とを交互に伝送する方式で、ラインメモリによりラインを切り換える。この場合、映像フォーマットとして、１９２０×２１６０という新規な映像フォーマットの定義が必要になる。
【０１４９】
方式（３）は、図１１（ｃ）に示すように、左眼画像データと右眼画像データとをフィールド毎に順次切換えて伝送する方式である。この場合、切換え処理のためフィールドメモリが必要となるが、ソース機器での信号処理は最も簡単なものとなる。
【０１５０】
方式（４）は、図１２（ａ）に示すように、左眼画像データの１ライン分と右眼画像データの１ライン分とを交互に伝送する方式である。この場合、左眼画像データおよび右眼画像データは、それぞれ、ラインが１／２に間引かれる。この方式は、上述の「位相差プレート方式」と呼ばれる立体視画像の表示方式の映像信号そのものであり、シンク機器の表示部での信号処理が最も簡単な方式であるが、原信号に対して垂直解像度は半分となる。
【０１５１】
方式（５）は、図１２（ｂ）に示すように、垂直方向の前半では左眼画像データの各ラインのデータを伝送し、垂直方向の後半では左眼画像データの各ラインのデータを伝送する方式である。この場合、上述の方式（４）と同様に、左眼画像データおよび右眼画像データのラインが１／２に間引かれることから原信号に対して垂直解像度は半分となるが、ライン毎の切換えは必要ない。
【０１５２】
方式（６）は、現在実験放送で用いられている「Side By Side」方式で、図１２（ｃ）に示すように、水平方向の前半では左眼画像データのピクセルデータを伝送し、水平方向の後半では右眼画像データのピクセルデータを伝送する方式である。この場合、左眼画像データおよび右眼画像データは、それぞれ、水平方向のピクセルデータが１／２に間引かれることから、上述の方式（４）、方式（５）と比較して水平解像度は１／２となる。しかし、３Ｄ画像データに非対応のシンク機器でも内容を判断することができ、従来のシンク機器の表示部との互換性が高い方式である。
【０１５３】
上述のディスクプレーヤ２１０の３Ｄ信号処理部２２９は、方式（１）〜（６）のいずれかが選択される場合、原信号の３Ｄ画像データ（左眼（Ｌ）画像および右眼（Ｒ）の画像データ）から、選択された伝送方式に応じた合成データ（図１１（ａ）〜（ｃ）、図１２（ａ）〜（ｃ）参照）を生成する処理を行う。また、その場合、上述のテレビ受信機２５０の３Ｄ信号処理部２５４は、合成データから左眼（Ｌ）画像データおよび右眼（Ｒ）画像データを分離抽出する処理を行う。
【０１５４】
次に、上述した方式（１）〜（６）における伝送データおよびそのパッキングフォーマットについて説明する。
【０１５５】
図１３は、方式（１）のＴＭＤＳ伝送データ例を示している。この場合、１９２０ピクセル×１０８０ラインのアクティブビデオ区間に、３８４０ピクセル（画素）×１０８０ライン分の有効画素（Active pixel）のデータ（左眼（Ｌ）画像データおよび右眼（Ｒ）画像データの合成データ）が配置される。
【０１５６】
図１４は、ＨＤＭＩの３つのＴＭＤＳチャネル＃０，＃１，＃２で、方式（１）の３Ｄ画像データを伝送する際のパッキングフォーマット例を示している。画像データの伝送方式として、RGB 4:4:4とYCbCr 4:4:4の２通りを示している。ここで、ＴＭＤＳクロックとピクセル（Pixel）クロックの関係は、ＴＭＤＳクロック＝２×ピクセルクロックの関係になっている。
【０１５７】
RGB 4:4:4の方式では、ＴＭＤＳチャネル＃０，＃１，＃２における各ピクセル（画素）の前半のデータ領域に、それぞれ右眼（Ｒ）画像データのピクセルデータを構成する、８ビットの青色（Ｂ）データ、８ビットの緑色（Ｇ）データ、８ビットの赤色（Ｒ）データが配置されている。また、このRGB 4:4:4の方式では、ＴＭＤＳチャネル＃０，＃１，＃２における各ピクセル（画素）の後半のデータ領域に、それぞれ左眼（Ｌ）画像データのピクセルデータを構成する、８ビットの青色（Ｂ）データ、８ビットの緑色（Ｇ）データ、８ビットの赤色（Ｒ）データが配置されている。
【０１５８】
YCbCr 4:4:4方式では、ＴＭＤＳチャネル＃０，＃１，＃２における各ピクセル（画素）の前半のデータ領域に、それぞれ右眼（Ｒ）画像データのピクセルデータを構成する、８ビットの青色差（Ｃｂ）データ、８ビットの輝度（Ｙ）データ、８ビットの赤色差（Ｃｒ）データが配置されている。また、このYCbCr 4:4:4方式では、ＴＭＤＳチャネル＃０，＃１，＃２における各ピクセル（画素）の後半のデータ領域に、それぞれ左眼（Ｌ）画像データのピクセルデータを構成する、８ビットの青色差（Ｃｂ）データ、８ビットの輝度（Ｙ）データ、８ビットの赤色差（Ｃｒ）データが配置されている。
【０１５９】
なお、この方式（１）においては、各ピクセルの前半のデータ領域に左眼画像データを配置し、各ピクセルの後半のデータ領域に右眼画像データを配置してもよい。
【０１６０】
図１５は、方式（２）のＴＭＤＳ伝送データ例を示している。この場合、１９２０ピクセル×２１６０ラインのアクティブビデオ区間に、１９２０ピクセル（画素）×２１６０ライン分の有効画素（Active pixel）のデータ（左眼（Ｌ）画像データおよび右眼（Ｒ）画像データの合成データ）が配置される。
【０１６１】
図１６は、ＨＤＭＩの３つのＴＭＤＳチャネル＃０，＃１，＃２で、方式（２）の３Ｄ画像データを伝送する際のパッキングフォーマット例を示している。画像データの伝送方式として、RGB 4:4:4とYCbCr 4:4:4の２通りを示している。ここで、ＴＭＤＳクロックとピクセル（Pixel）クロックの関係は、ＴＭＤＳクロック＝ピクセルクロックの関係になっている。
【０１６２】
RGB 4:4:4の方式では、ＴＭＤＳチャネル＃０，＃１，＃２における、奇数ラインの各ピクセル（画素）のデータ領域に、それぞれ左眼（Ｌ）画像データのピクセルデータを構成する、８ビットの青色（Ｂ）データ、８ビットの緑色（Ｇ）データ、８ビットの赤色（Ｒ）データが配置されている。また、このRGB 4:4:4の方式では、ＴＭＤＳチャネル＃０，＃１，＃２における、偶数ラインの各ピクセル（画素）のデータ領域に、それぞれ右眼（Ｒ）画像データのピクセルデータを構成する、８ビットの青色（Ｂ）データ、８ビットの緑色（Ｇ）データ、８ビットの赤色（Ｒ）データが配置されている。
【０１６３】
YCbCr 4:4:4方式では、ＴＭＤＳチャネル＃０，＃１，＃２における、奇数ラインの各ピクセル（画素）のデータ領域に、それぞれ左眼（Ｌ）画像データのピクセルデータを構成する、８ビットの青色差（Ｃｂ）データ、８ビットの輝度（Ｙ）データ、８ビットの赤色差（Ｃｒ）データが配置されている。また、このYCbCr 4:4:4方式では、ＴＭＤＳチャネル＃０，＃１，＃２における、偶数ラインの各ピクセル（画素）のデータ領域に、それぞれ右眼（Ｒ）画像データのピクセルデータを構成する、８ビットの青色差（Ｃｂ）データ、８ビットの輝度（Ｙ）データ、８ビットの赤色差（Ｃｒ）データが配置されている。
【０１６４】
なお、この方式（２）においては、奇数ラインに右眼画像データを配置し、偶数ラインに左眼画像データを配置してもよい。
【０１６５】
図１７は、方式（３）のＴＭＤＳ伝送データ例を示している。この場合、奇数フィールドの１９２０ピクセル×１０８０ラインのアクティブビデオ区間に、１９２０ピクセル（画素）×１０８０ライン分の有効画素（Active pixel）の左眼（Ｌ）画像データが配置される。また、偶数フィールドの１９２０ピクセル×１０８０ラインのアクティブビデオ区間に、１９２０ピクセル（画素）×１０８０ライン分の有効画素（Active pixel）の右眼（Ｒ）画像データが配置される。
【０１６６】
図１８、図１９は、ＨＤＭＩの３つのＴＭＤＳチャネル＃０，＃１，＃２で、方式（３）の３Ｄ画像データを伝送する際のパッキングフォーマット例を示している。画像データの伝送方式として、RGB 4:4:4とYCbCr 4:4:4の２通りを示している。ここで、ＴＭＤＳクロックとピクセル（Pixel）クロックの関係は、ＴＭＤＳクロック＝ピクセルクロックの関係になっている。
【０１６７】
RGB 4:4:4の方式では、ＴＭＤＳチャネル＃０，＃１，＃２における、奇数フィールドの各ピクセル（画素）のデータ領域に、それぞれ左眼（Ｌ）画像データのピクセルデータを構成する、８ビットの青色（Ｂ）データ、８ビットの緑色（Ｇ）データ、８ビットの赤色（Ｒ）データが配置されている。また、このRGB 4:4:4の方式では、ＴＭＤＳチャネル＃０，＃１，＃２における、偶数フィールドの各ピクセル（画素）のデータ領域に、それぞれ右眼（Ｒ）画像データのピクセルデータを構成する、８ビットの青色（Ｂ）データ、８ビットの緑色（Ｇ）データ、８ビットの赤色（Ｒ）データが配置されている。
【０１６８】
YCbCr 4:4:4方式では、ＴＭＤＳチャネル＃０，＃１，＃２における、奇数フィールドの各ピクセル（画素）のデータ領域に、それぞれ左眼（Ｌ）画像データのピクセルデータを構成する、８ビットの青色差（Ｃｂ）データ、８ビットの輝度（Ｙ）データ、８ビットの赤色差（Ｃｒ）データが配置されている。また、このYCbCr 4:4:4方式では、ＴＭＤＳチャネル＃０，＃１，＃２における、偶数フィールドの各ピクセル（画素）の後半のデータ領域に、それぞれ右眼（Ｒ）画像データのピクセルデータを構成する、８ビットの青色差（Ｃｂ）データ、８ビットの輝度（Ｙ）データ、８ビットの赤色差（Ｃｒ）データが配置されている。
【０１６９】
なお、この方式（３）においては、奇数フィールドの各ピクセルのデータ領域に右眼画像データを配置し、偶数フィールドの各ピクセルのデータ領域に左眼画像データを配置してもよい。
【０１７０】
図２０は、方式（４）のＴＭＤＳ伝送データ例を示している。この場合、１９２０ピクセル×１０８０ラインのアクティブビデオ区間に、１９２０ピクセル（画素）×１０８０ライン分の有効画素（Active pixel）のデータ（左眼（Ｌ）画像データおよび右眼（Ｒ）画像データの合成データ）が配置される。
【０１７１】
なお、この方式（４）の場合、上述したように、左眼画像データおよび右眼画像データは、それぞれ、垂直方向のラインが１／２に間引かれる。ここで、伝送すべき左眼画像データは奇数ラインまたは偶数ラインのいずれかであり、同様に、伝送すべき右眼画像データは奇数ラインまたは偶数ラインのいずれかである。したがって、組み合わせてとしては、左眼画像データおよび右眼画像データの双方とも奇数ライン、左眼画像データおよび右眼画像データの双方とも偶数ライン、左眼画像データは奇数ラインで右眼画像データは偶数ライン、左眼画像データは偶数ライン、右眼画像データは奇数ラインの４通りがある。図２０は、左眼画像データは奇数ラインで右眼画像データは偶数ラインの場合を示している。
【０１７２】
図２１は、ＨＤＭＩの３つのＴＭＤＳチャネル＃０，＃１，＃２で、方式（４）の３Ｄ画像データを伝送する際のパッキングフォーマット例を示している。画像データの伝送方式として、RGB 4:4:4とYCbCr 4:4:4とYCbCr 4:2:2の３通りを示している。ここで、ＴＭＤＳクロックとピクセル（Pixel）クロックの関係は、ＴＭＤＳクロック＝ピクセルクロックの関係になっている。
【０１７３】
RGB 4:4:4の方式では、ＴＭＤＳチャネル＃０，＃１，＃２における、奇数ラインの各ピクセル（画素）のデータ領域に、それぞれ左眼（Ｌ）画像データのピクセルデータを構成する、８ビットの青色（Ｂ）データ、８ビットの緑色（Ｇ）データ、８ビットの赤色（Ｒ）データが配置されている。また、このRGB 4:4:4の方式では、ＴＭＤＳチャネル＃０，＃１，＃２における、偶数ラインの各ピクセル（画素）のデータ領域に、それぞれ右眼（Ｒ）画像データのピクセルデータを構成する、８ビットの青色（Ｂ）データ、８ビットの緑色（Ｇ）データ、８ビットの赤色（Ｒ）データが配置されている。
【０１７４】
YCbCr 4:4:4方式では、ＴＭＤＳチャネル＃０，＃１，＃２における、奇数ラインの各ピクセル（画素）のデータ領域に、それぞれ左眼（Ｌ）画像データのピクセルデータを構成する、８ビットの青色差（Ｃｂ）データ、８ビットの輝度（Ｙ）データ、８ビットの赤色差（Ｃｒ）データが配置されている。また、このYCbCr 4:4:4方式では、ＴＭＤＳチャネル＃０，＃１，＃２における、偶数ラインの各ピクセル（画素）のデータ領域に、それぞれ右眼（Ｒ）画像データのピクセルデータを構成する、８ビットの青色差（Ｃｂ）データ、８ビットの輝度（Ｙ）データ、８ビットの赤色差（Ｃｒ）データが配置されている。
【０１７５】
YCbCr 4:2:2方式では、ＴＭＤＳチャネル＃０における、奇数ラインの各ピクセル（画素）のデータ領域に、左眼（Ｌ）画像データのピクセルデータを構成する、輝度（Ｙ）データのビット０〜ビット３のデータが配置されていると共に、青色差（Ｃｂ）データのビット０〜ビット３のデータと赤色差（Ｃｒ）データのビット０〜ビット３のデータとが１ピクセル毎に交互に配置されている。また、YCbCr 4:2:2方式では、ＴＭＤＳチャネル＃１における、奇数ラインの各ピクセル（画素）のデータ領域に、左眼（Ｌ）画像データの輝度（Ｙ）データのビット４〜ビット１１のデータが配置されている。また、YCbCr 4:2:2方式では、ＴＭＤＳチャネル＃２における、奇数ラインの各ピクセル（画素）のデータ領域に、左眼（Ｌ）画像データの青色差（Ｃｂ）データのビット４〜ビット１１のデータと赤色差（Ｃｒ）データのビット４〜ビット１１のデータとが１ピクセル毎に交互に配置されている。
【０１７６】
また、YCbCr 4:2:2方式では、ＴＭＤＳチャネル＃０における、偶数ラインの各ピクセル（画素）のデータ領域に、右眼（Ｒ）画像データのピクセルデータを構成する、輝度（Ｙ）データのビット０〜ビット３のデータが配置されていると共に、青色差（Ｃｂ）データのビット０〜ビット３のデータと赤色差（Ｃｒ）データのビット０〜ビット３のデータとが１ピクセル毎に交互に配置されている。また、YCbCr 4:2:2方式では、ＴＭＤＳチャネル＃１における、偶数ラインの各ピクセル（画素）のデータ領域に、右眼（Ｒ）画像データの輝度（Ｙ）データのビット４〜ビット１１のデータが配置されている。また、YCbCr 4:2:2方式では、ＴＭＤＳチャネル＃２における、偶数ラインの各ピクセル（画素）のデータ領域に、右眼（Ｒ）画像データの青色差（Ｃｂ）データのビット４〜ビット１１のデータと赤色差（Ｃｒ）データのビット４〜ビット１１のデータとが１ピクセル毎に交互に配置されている。
【０１７７】
なお、この方式（４）においては、奇数ラインに右眼画像データを配置し、偶数ラインに左眼画像データを配置してもよい。
【０１７８】
図２２は、方式（５）のＴＭＤＳ伝送データ例を示している。この場合、１９２０ピクセル×１０８０ラインのアクティブビデオ区間に、１９２０ピクセル（画素）×１０８０ライン分の有効画素（Active pixel）のデータ（左眼（Ｌ）画像データおよび右眼（Ｒ）画像データの合成データ）が配置される。
【０１７９】
なお、この方式（５）の場合、上述したように、左眼画像データおよび右眼画像データは、それぞれ、垂直方向のラインが１／２に間引かれる。ここで、伝送すべき左眼画像データは奇数ラインまたは偶数ラインのいずれかであり、同様に、伝送すべき右眼画像データは奇数ラインまたは偶数ラインのいずれかである。したがって、組み合わせてとしては、左眼画像データおよび右眼画像データの双方とも奇数ライン、左眼画像データおよび右眼画像データの双方とも偶数ライン、左眼画像データは奇数ラインで右眼画像データは偶数ライン、左眼画像データは偶数ライン、右眼画像データは奇数ラインの４通りがある。図２２は、左眼画像データは奇数ラインで右眼画像データは偶数ラインの場合を示している。
【０１８０】
図２３、図２４は、ＨＤＭＩの３つのＴＭＤＳチャネル＃０，＃１，＃２で、方式（５）の３Ｄ画像データを伝送する際のパッキングフォーマット例を示している。画像データの伝送方式として、RGB 4:4:4とYCbCr 4:4:4とYCbCr 4:2:2の３通りを示している。ここで、ＴＭＤＳクロックとピクセル（Pixel）クロックの関係は、ＴＭＤＳクロック＝ピクセルクロックの関係になっている。
【０１８１】
RGB 4:4:4の方式では、ＴＭＤＳチャネル＃０，＃１，＃２における、垂直前半の各ピクセル（画素）のデータ領域に、それぞれ左眼（Ｌ）画像データのピクセルデータを構成する、８ビットの青色（Ｂ）データ、８ビットの緑色（Ｇ）データ、８ビットの赤色（Ｒ）データが配置されている。また、このRGB 4:4:4の方式では、ＴＭＤＳチャネル＃０，＃１，＃２における、垂直後半の各ピクセル（画素）のデータ領域に、それぞれ右眼（Ｒ）画像データのピクセルデータを構成する、８ビットの青色（Ｂ）データ、８ビットの緑色（Ｇ）データ、８ビットの赤色（Ｒ）データが配置されている。
【０１８２】
YCbCr 4:4:4方式では、ＴＭＤＳチャネル＃０，＃１，＃２における、垂直前半の各ピクセル（画素）のデータ領域に、それぞれ左眼（Ｌ）画像データのピクセルデータを構成する、８ビットの青色差（Ｃｂ）データ、８ビットの輝度（Ｙ）データ、８ビットの赤色差（Ｃｒ）データが配置されている。また、このYCbCr 4:4:4方式では、ＴＭＤＳチャネル＃０，＃１，＃２における、垂直後半の各ピクセル（画素）のデータ領域に、それぞれ右眼（Ｒ）画像データのピクセルデータを構成する、８ビットの青色差（Ｃｂ）データ、８ビットの輝度（Ｙ）データ、８ビットの赤色差（Ｃｒ）データが配置されている。
【０１８３】
YCbCr 4:2:2方式では、ＴＭＤＳチャネル＃０における、垂直前半の各ピクセル（画素）のデータ領域に、左眼（Ｌ）画像データのピクセルデータを構成する、輝度（Ｙ）データのビット０〜ビット３のデータが配置されていると共に、青色差（Ｃｂ）データのビット０〜ビット３のデータと赤色差（Ｃｒ）データのビット０〜ビット３のデータとが１ピクセル毎に交互に配置されている。
【０１８４】
また、YCbCr 4:2:2方式では、ＴＭＤＳチャネル＃１における、垂直前半の各ピクセル（画素）のデータ領域に、左眼（Ｌ）画像データの輝度（Ｙ）データのビット４〜ビット１１のデータが配置されている。また、YCbCr 4:2:2方式では、ＴＭＤＳチャネル＃２における、垂直前半の各ピクセル（画素）のデータ領域に、左眼（Ｌ）画像データの青色差（Ｃｂ）データのビット４〜ビット１１のデータと赤色差（Ｃｒ）データのビット４〜ビット１１のデータとが１ピクセル毎に交互に配置されている。
【０１８５】
また、YCbCr 4:2:2方式では、ＴＭＤＳチャネル＃０における、垂直後半の各ピクセル（画素）のデータ領域に、右眼（Ｒ）画像データのピクセルデータを構成する、輝度（Ｙ）データのビット０〜ビット３のデータが配置されていると共に、青色差（Ｃｂ）データのビット０〜ビット３のデータと赤色差（Ｃｒ）データのビット０〜ビット３のデータとが１ピクセル毎に交互に配置されている。
【０１８６】
また、YCbCr 4:2:2方式では、ＴＭＤＳチャネル＃１における、垂直後半の各ピクセル（画素）のデータ領域に、右眼（Ｒ）画像データの輝度（Ｙ）データのビット４〜ビット１１のデータが配置されている。また、YCbCr 4:2:2方式では、ＴＭＤＳチャネル＃２における、垂直後半の各ピクセル（画素）のデータ領域に、右眼（Ｒ）画像データの青色差（Ｃｂ）データのビット４〜ビット１１のデータと赤色差（Ｃｒ）データのビット４〜ビット１１のデータとが１ピクセル毎に交互に配置されている。
【０１８７】
なお、この方式（５）においては、垂直前半の各ピクセルのデータ領域に右眼画像データを配置し、垂直後半の各ピクセルのデータ領域に左眼画像データを配置してもよい。
【０１８８】
図２５は、方式（６）のＴＭＤＳ伝送データ例を示している。この場合、１９２０ピクセル×１０８０ラインのアクティブビデオ区間に、１９２０ピクセル（画素）×１０８０ライン分の有効画素（Active pixel）のデータ（左眼（Ｌ）画像データおよび右眼（Ｒ）画像データの合成データ）が配置される。
【０１８９】
なお、この方式（６）の場合、上述したように、左眼画像データおよび右眼画像データは、それぞれ、水平方向のピクセルデータが１／２に間引かれる。ここで、伝送すべき左眼画像データは奇数ピクセルまたは偶数ピクセルのいずれかであり、同様に、伝送すべき右眼画像データは奇数ピクセルまたは偶数ピクセルのいずれかである。したがって、組み合わせてとしては、左眼画像データおよび右眼画像データの双方とも奇数ピクセル、左眼画像データおよび右眼画像データの双方とも偶数ピクセル、左眼画像データは奇数ピクセルで右眼画像データは偶数ピクセル、左眼画像データは偶数ピクセル、右眼画像データは奇数ピクセルの４通りがある。
【０１９０】
図２６は、ＨＤＭＩの３つのＴＭＤＳチャネル＃０，＃１，＃２で、方式（６）の３Ｄ画像データを伝送する際のパッキングフォーマット例を示している。画像データの伝送方式として、RGB 4:4:4とYCbCr 4:4:4とYCbCr 4:2:2の３通りを示している。ここで、ＴＭＤＳクロックとピクセル（Pixel）クロックの関係は、ＴＭＤＳクロック＝ピクセルクロックの関係になっている。
【０１９１】
RGB 4:4:4の方式では、ＴＭＤＳチャネル＃０，＃１，＃２における、水平前半の各ピクセル（画素）のデータ領域に、それぞれ左眼（Ｌ）画像データのピクセルデータを構成する、８ビットの青色（Ｂ）データ、８ビットの緑色（Ｇ）データ、８ビットの赤色（Ｒ）データが配置されている。また、このRGB 4:4:4の方式では、ＴＭＤＳチャネル＃０，＃１，＃２における、水平後半の各ピクセル（画素）のデータ領域に、それぞれ右眼（Ｒ）画像データのピクセルデータを構成する、８ビットの青色（Ｂ）データ、８ビットの緑色（Ｇ）データ、８ビットの赤色（Ｒ）データが配置されている。
【０１９２】
YCbCr 4:4:4方式では、ＴＭＤＳチャネル＃０，＃１，＃２における、水平前半の各ピクセル（画素）のデータ領域に、それぞれ左眼（Ｌ）画像データのピクセルデータを構成する、８ビットの青色差（Ｃｂ）データ、８ビットの輝度（Ｙ）データ、８ビットの赤色差（Ｃｒ）データが配置されている。また、このYCbCr 4:4:4方式では、ＴＭＤＳチャネル＃０，＃１，＃２における、水平後半の各ピクセル（画素）のデータ領域に、それぞれ右眼（Ｒ）画像データのピクセルデータを構成する、８ビットの青色差（Ｃｂ）データ、８ビットの輝度（Ｙ）データ、８ビットの赤色差（Ｃｒ）データが配置されている。
【０１９３】
YCbCr 4:2:2方式では、ＴＭＤＳチャネル＃０における、水平前半の各ピクセル（画素）のデータ領域に、左眼（Ｌ）画像データのピクセルデータを構成する、輝度（Ｙ）データのビット０〜ビット３のデータが配置されていると共に、青色差（Ｃｂ）データのビット０〜ビット３のデータと赤色差（Ｃｒ）データのビット０〜ビット３のデータとが１ピクセル毎に交互に配置されている。
【０１９４】
また、YCbCr 4:2:2方式では、ＴＭＤＳチャネル＃１における、水平前半の各ピクセル（画素）のデータ領域に、左眼（Ｌ）画像データの輝度（Ｙ）データのビット４〜ビット１１のデータが配置されている。また、YCbCr 4:2:2方式では、ＴＭＤＳチャネル＃２における、水平前半の各ピクセル（画素）のデータ領域に、左眼（Ｌ）画像データの青色差（Ｃｂ）データのビット４〜ビット１１のデータと赤色差（Ｃｒ）データのビット４〜ビット１１のデータとが１ピクセル毎に交互に配置されている。
【０１９５】
また、YCbCr 4:2:2方式では、ＴＭＤＳチャネル＃０における、水平後半の各ピクセル（画素）のデータ領域に、右眼（Ｒ）画像データのピクセルデータを構成する、輝度（Ｙ）データのビット０〜ビット３のデータが配置されていると共に、青色差（Ｃｂ）データのビット０〜ビット３のデータと赤色差（Ｃｒ）データのビット０〜ビット３のデータとが１ピクセル毎に交互に配置されている。
【０１９６】
また、YCbCr 4:2:2方式では、ＴＭＤＳチャネル＃１における、水平後半の各ピクセル（画素）のデータ領域に、右眼（Ｒ）画像データの輝度（Ｙ）データのビット４〜ビット１１のデータが配置されている。また、YCbCr 4:2:2方式では、ＴＭＤＳチャネル＃２における、水平後半の各ピクセル（画素）のデータ領域に、右眼（Ｒ）画像データの青色差（Ｃｂ）データのビット４〜ビット１１のデータと赤色差（Ｃｒ）データのビット４〜ビット１１のデータとが１ピクセル毎に交互に配置されている。
【０１９７】
なお、この方式（６）においては、水平前半の各ピクセルのデータ領域に右眼画像データを配置し、水平後半の各ピクセルのデータ領域に左眼画像データを配置してもよい。
【０１９８】
次に、原信号の３Ｄ画像データが、２次元（２Ｄ）画像データ（図２７（ａ）参照）、および各画素に対応した奥行きデータ（図２７（ｂ）参照）で構成される、ＭＰＥＧ−Ｃ方式の場合について説明する。
【０１９９】
このＭＰＥＧ−Ｃ方式の場合、４：４：４方式の２次元画像データを４：２：２方式に変換し、空いた領域に、奥行きデータを配置し、２次元画像データおよび奥行きデータの合成データを、ＨＤＭＩのＴＭＤＳチャネルで伝送する。すなわち、この場合、各ピクセル（画像）のデータ領域に、２次元画像データを構成する画素データおよびこの画素データに対応した奥行きデータが配置される。
【０２００】
図２８は、ＭＰＥＧ−Ｃ方式のＴＭＤＳ伝送データ例を示している。この場合、１９２０ピクセル×１０８０ラインのアクティブビデオ区間に、１９２０ピクセル（画素）×１０８０ライン分の有効画素（Active pixel）のデータ（２次元画像データおよび奥行きデータの合成データ）が配置される。
【０２０１】
図２９は、ＨＤＭＩの３つのＴＭＤＳチャネル＃０，＃１，＃２で、ＭＰＥＧ−Ｃ方式の３Ｄ画像データを伝送する際のパッキングフォーマット例を示している。ここで、ＴＭＤＳクロックとピクセル（Pixel）クロックの関係は、ＴＭＤＳクロック＝ピクセルクロックの関係になっている。
【０２０２】
図２９（ａ）は、YCbCr 4:4:4方式の２次元画像データのパッキングフォーマットを、比較のために示している。ＴＭＤＳチャネル＃０，＃１，＃２における各ピクセル（画素）のデータ領域に、それぞれ２次元画像データのピクセルデータを構成する、８ビットの青色差（Ｃｂ）データ、８ビットの輝度（Ｙ）データ、８ビットの赤色差（Ｃｒ）データが配置されている。
【０２０３】
図２９（ｂ）は、２次元画像データおよび奥行きデータの合成データのパッキングフォーマットを示している。ＴＭＤＳチャネル＃０における各ピクセル（画素）のデータ領域に、８ビットの青色差（Ｃｂ）データと８ビットの赤色差（Ｃｒ）データとが１ピクセル毎に交互に配置されている。また、ＴＭＤＳチャネル＃１における各ピクセル（画素）のデータ領域に、８ビットの輝度（Ｙ）データが配置されている。また、ＴＭＤＳチャネル＃２における各ピクセル（画素）のデータ領域に、８ビットの奥行きデータ（Ｄ）が配置されている。
【０２０４】
このように、１ピクセルクロックで、８ビットの輝度信号および８ビットの奥行きデータを伝送するため、図２９（ｂ）に示す方式を、「YCbCrD4:2:2:4」方式と呼ぶ。この方式では、色差信号Ｃｂ，Ｃｒのピクセルデータは１／２に間引かれているのに対して、奥行きデータに関しては間引きを行っていない。これは、奥行きデータは輝度（Ｙ）データに関連する８ビットデータであり、間引かずに輝度（Ｙ）データと同等の品位を保つ必要があることによる。
【０２０５】
上述のディスクプレーヤ２１０の３Ｄ信号処理部（エンコード部）２２９は、ＭＰＥＧ−Ｃ方式が選択される場合、原信号の３Ｄ画像データ（２次元画像データおよび奥行きデータ）から、上述の「YCbCrD4:2:2:4」方式に対応した合成データを生成する処理を行う。また、その場合、上述のテレビ受信機２５０の３Ｄ信号処理部（デコード部）２５４は、図３０（ａ）に示す「YCbCrD4:2:2:4」方式の合成データから、２次元画像データと奥行きデータとを分離抽出する。そして、３Ｄ信号処理部２５４は、２次元画像データに関しては、図３０（ｂ）に示すように、色差データＣｂ，Ｃｒに補間処理を行って、YCbCr4:4:4方式の２次元画像データに変換する。さらに、３Ｄ信号処理部２５４は、２次元画像データと奥行きデータとを用いた演算を行って、左眼（Ｌ）画像データおよび右眼（Ｒ）画像データを生成する。
【０２０６】
図１に示すＡＶシステム２００において、ディスクプレーヤ２１０のＣＰＵ２１４は、テレビ受信機２５０のＨＤＭＩ受信部２５２から読み出したＥ−ＥＤＩＤに基づいて、テレビ受信機２５０が対応可能な３Ｄ画像データの伝送方式等を認識する。
【０２０７】
図３１は、Ｅ−ＥＤＩＤのデータ構造例を示している。このＥ−ＥＤＩＤは、基本ブロックと拡張ブロックとからなっている。基本ブロックの先頭には、“Ｅ−ＥＤＩＤ１．３  Ｂａｓｉｃ  Ｓｔｒｕｃｔｕｒｅ”で表されるＥ−ＥＤＩＤ１．３の規格で定められたデータが配置され、続いて“Ｐｒｅｆｅｒｒｅｄ  ｔｉｍｉｎｇ”で表される従来のＥＤＩＤとの互換性を保つためのタイミング情報、および“２ｎｄ  ｔｉｍｉｎｇ”で表される従来のＥＤＩＤとの互換性を保つための“Ｐｒｅｆｅｒｒｅｄ  ｔｉｍｉｎｇ”とは異なるタイミング情報が配置されている。
【０２０８】
また、基本ブロックには、“２ｎｄ  ｔｉｍｉｎｇ”に続いて、“Ｍｏｎｉｔｏｒ  ＮＡＭＥ”で表される表示装置の名前を示す情報、および“Ｍｏｎｉｔｏｒ  Ｒａｎｇｅ  Ｌｉｍｉｔｓ”で表される、アスペクト比が４：３および１６：９である場合についての表示可能な画素数を示す情報が順番に配置されている。
【０２０９】
拡張ブロックの先頭には、 “Ｓｈｏｒｔ  Ｖｉｄｅｏ  Ｄｅｓｃｒｉｐｔｉｏｎ”で表される、表示可能な画像サイズ(解像度)、フレームレート、インターレースであるかプログレッシブであるかを示す情報、アスペクト比などの情報が記述されたデータ、“Ｓｈｏｒｔ  Ａｕｄｉｏ  Ｄｅｓｃｒｉｐｔｉｏｎ”で表される、再生可能な音声コーデック方式、サンプリング周波数、カットオフ帯域、コーデックビット数などの情報が記述されたデータ、および“Ｓｐｅａｋｅｒ  Ａｌｌｏｃａｔｉｏｎ”で表される左右のスピーカに関する情報が順番に配置されている。
【０２１０】
また、拡張ブロックには、“Ｓｐｅａｋｅｒ  Ａｌｌｏｃａｔｉｏｎ”に続いて、“Ｖｅｎｄｅｒ  Ｓｐｅｃｉｆｉｃ”で表されるメーカーごとに固有に定義されたデータ、“３ｒｄ  ｔｉｍｉｎｇ”で表される従来のＥＤＩＤとの互換性を保つためのタイミング情報、および“４ｔｈ  ｔｉｍｉｎｇ”で表される従来のＥＤＩＤとの互換性を保つためのタイミング情報が配置されている。
【０２１１】
この実施の形態においては、このＶｅｎｄｅｒ  Ｓｐｅｃｉｆｉｃ領域に、３Ｄ（立体）画像情報を記憶するために拡張するデータエリアを定義する。図３２は、Ｖｅｎｄｅｒ  Ｓｐｅｃｉｆｉｃ領域のデータ構造例を示している。このＶｅｎｄｅｒ  Ｓｐｅｃｉｆｉｃ領域には、１バイトのブロックである第０ブロック乃至第Ｎブロックが設けられている。既に定義された第０バイトから第７バイトに続く第８バイトから第１１バイトに、シンク機器（この実施の形態では、テレビ受信機２５０）が記憶しておくべき３Ｄ画像・音声情報のデータ領域を定義する。
【０２１２】
まず、第０バイトから第７バイトについて説明する。“Ｖｅｎｄｅｒ  Ｓｐｅｃｉｆｉｃ”で表されるデータの先頭に配置された第０バイトには、“Ｖｅｎｄｏｒ−Ｓｐｅｃｉｆｉｃ  ｔａｇ  ｃｏｄｅ（＝３）”で表されるデータ“Ｖｅｎｄｅｒ  Ｓｐｅｃｉｆｉｃ”のデータ領域を示すヘッダ、および“Ｌｅｎｇｔｈ（＝Ｎ）”で表されるデータ“Ｖｅｎｄｅｒ  Ｓｐｅｃｉｆｉｃ”の長さを示す情報が配置される。
【０２１３】
また、第１バイト乃至第３バイトには、“２４ｂｉｔ  ＩＥＥＥ  Ｒｅｇｉｓｔｒａｔｉｏｎ  Ｉｄｅｎｔｉｆｉｅｒ（０ｘ０００Ｃ０３）ＬＳＢ  ｆｉｒｓｔ”で表されるＨＤＭＩ（Ｒ）用として登録された番号“０ｘ０００Ｃ０３“を示す情報が配置される。さらに、第４バイトおよび第５バイトには、”Ａ“、”Ｂ“、”Ｃ“、および”Ｄ“のそれぞれにより表される、２４ｂｉｔのシンク機器の物理アドレスを示す情報が配置される。
【０２１４】
第６バイトには、“Ｓｕｐｐｏｒｔｓ−ＡＩ”で表されるシンク機器が対応している機能を示すフラグ、“ＤＣ−４８ｂｉｔ”、“ＤＣ−３６ｂｉｔ”、および“ＤＣ−３０ｂｉｔ”のそれぞれで表される１ピクセル当たりのビット数を指定する情報のそれぞれ、“ＤＣ−Ｙ４４４”で表される、シンク機器がＹＣｂＣｒ４：４：４の画像の伝送に対応しているかを示すフラグが配置されている。
【０２１５】
また、第７バイトには、“Ｍａｘ−ＴＭＤＳ−Ｃｌｏｃｋ”で表されるＴＭＤＳのピクセルクロックの最大の周波数を示す情報が配置される。
【０２１６】
次に、第８バイトから第１１バイトについて説明する。第８バイトから第１０バイトには、３Ｄ画像に関する情報が記憶されている。第８バイトではRGB 4:4:4での対応を、第９バイトではYCbCr 4:4:4での対応を、第１０バイトではYCbCr 4:2:2での対応を示している。第８バイトから第１０バイトのそれぞれの第７ビットから第１ビットには、シンク機器が対応している３Ｄ画像の７通り（上述の方式（１）〜（６）とＭＰＥＧ−Ｃ方式）のビデオフォーマット（RGB 4:4:4フォーマット、YCbCr 4:4:4フォーマット、YCbCr 4:2:2フォーマット）を示すデータが書き込まれる。
【０２１７】
第７ビットでは、左眼画像データのピクセルデータと右眼画像データのピクセルデータとをＴＭＤＳクロック毎に順次切り換えて伝送する方式（方式（１）:「Pixel ALT」）に対応しているか否かを示す。第６ビットでは、左眼画像データの１ライン分と右眼画像データの１ライン分とを交互に伝送する方式（方式（２）:「Simul」）に対応しているか否かを示す。
【０２１８】
第５ビットでは、左眼画像データと右眼画像データとをフィールド毎に順次切換えて伝送する方式（方式（３）:「Field Seq.」）に対応しているか否かを示す。第４ビットでは、左眼画像データと右眼画像データをそれぞれ垂直方向に１／２に間引いて、左眼画像データの１ライン分と右眼画像データの１ライン分とを交互に伝送する方式（方式（４）:「Line Seq.」）に対応しているか否かを示す。
【０２１９】
第３ビットでは、左眼画像データと右眼画像データをそれぞれ垂直方向に１／２に間引いて、前半では左眼画像データの各ラインのデータを伝送し、後半では左眼画像データの各ラインのデータを伝送する方式（方式（５）:「Top & Bottom」）に対応しているか否かを示す。第２ビットでは、左眼画像データと右眼画像データをそれぞれ水平方向に１／２に間引いて、前半では左眼画像データの各ピクセルデータを伝送し、後半では左眼画像データの各ピクセルのデータを伝送する方式（方式（６）:「Side by Side」）に対応しているか否かを示す。
【０２２０】
第１ビットでは、ＭＰＥＧ−Ｃで規定される２次元画像（本画像）および奥行きデータによる伝送方式（ＭＰＥＧ−Ｃ方式）に対応しているか否かを示す。それ以降のビットは、これ以外の方式が提案された場合に、割当が可能となっている。
【０２２１】
第１１バイトには、３Ｄ音声に関する情報が記憶される。第７ビットから第５ビットにシンク機器が対応している３Ｄ音声の伝送形式を示す。例として、第７ビットでは、方式Ａへの対応、第６ビットでは方式Ｂへの対応、第５ビットでは方式Ｃへの対応を示す。それ以降のビットはこれ以外の方式が提案された場合に、割当が可能となっている。なお、方式Ａ〜Ｃについての説明は省略する。
【０２２２】
図１に示すＡＶシステム２００において、ディスクプレーヤ２１０のＣＰＵ２１４は、ＨＰＤラインで、テレビ受信機（シンク機器）２５０の接続を確認した後、ＤＤＣを用いて、テレビ受信機２５０からＥ−ＥＤＩＤ、従って３Ｄ画像・音声情報を読み出し、テレビ受信機（シンク機器）が対応する３Ｄ画像・音声データの伝送方式を認識する。
【０２２３】
図１に示すＡＶシステム２００において、ディスクプレーヤ（ソース機器）２１０は、３Ｄ画像・音声のデータ（３Ｄ画像データ、３Ｄ音声データ）をテレビ受信機（シンク機器）２５０に伝送する際、従前に上述したようにテレビ受信機２５０から読み出した３Ｄ画像・音声情報に基づいて、テレビ受信機２５０が対応可能な３Ｄ画像・音声データの伝送方式のうちいずれかを選択して、伝送する。
【０２２４】
その際、ディスクプレーヤ（ソース機器）２１０は、テレビ受信機（シンク機器）２５０に、現在伝送している画像・音声フォーマットに関する情報を送信する。この場合、ディスクプレーヤ２１０は、テレビ受信機２５０に送信する３Ｄ画像データ（映像信号）のブランキング期間にその情報を挿入することで、当該情報をテレビ受信機２５０に送信する。ここで、ディスクプレーヤ２１０は、例えば、ＨＤＭＩのＡＶＩ(Auxiliary Video Information) InfoFrameパケット、Audio InfoFrameパケット等を用いて、現在伝送している画像・音声フォーマットに関する情報を３Ｄ画像データのブランキング期間に挿入する。
【０２２５】
AVI InfoFrameパケットは、上述したデータアイランド区間に配置される。図３３は、AVI InfoFrameパケットのデータ構造例を示している。ＨＤＭＩでは、当該AVI InfoFrameパケットにより、画像に関する付帯情報をソース機器からシンク機器に伝送可能となっている。
【０２２６】
第０バイトにデータパケットの種類を示す「Packet Type」が定義されている。AVI InfoFrameパケットの「Packet Type」は「0x82」となっている。第１バイトにパケットデータ定義のバージョン情報を記述する。AVI InfoFrameパケットは、現在「0x02」であるが、この発明で３Ｄ画像データの伝送方式を定義した場合は、図示のように「0x03」になる。第２バイトに、パケット長を表す情報を記述する。AVI InfoFrameは、現在「0x0D」であるが、この発明で３Ｄ画像出力フォーマット情報が第17バイトに定義した場合は、図示のように、「0x0E」になる。AVI InfoFrameのそれぞれは、CEA-861-D Section 6-4に定義されているので省略する。
【０２２７】
第１７バイトについて説明する。第１７バイトは、ソース機器（この実施の形態では、ディスクプレーヤ２１０）が選択した３Ｄ画像データの伝送方式のいずれか１つを指定する。第７ビットでは、左眼画像データのピクセルデータと右眼画像データのピクセルデータとをＴＭＤＳクロック毎に順次切り換えて伝送する方式（方式（１）:「Pixel ALT」）を示す。第６ビットでは、左眼画像データの１ライン分と右眼画像データの１ライン分とを交互に伝送する方式（方式（２）:「Simul」）を示す。
【０２２８】
第５ビットでは、左眼画像データと右眼画像データとをフィールド毎に順次切換えて伝送する方式（方式（３）:「Field Seq.」）を示す。第４ビットでは、左眼画像データと右眼画像データをそれぞれ垂直方向に１／２に間引いて、左眼画像データの１ライン分と右眼画像データの１ライン分とを交互に伝送する方式（方式（４）:「Line Seq.」）を示す。第３ビットでは、左眼画像データと右眼画像データをそれぞれ垂直方向に１／２に間引いて、前半では左眼画像データの各ラインのデータを伝送し、後半では左眼画像データの各ラインのデータを伝送する方式（方式（５）:「Top & Bottom」）を示す。
【０２２９】
第２ビットでは、左眼画像データと右眼画像データをそれぞれ水平方向に１／２に間引いて、前半では左眼画像データの各ピクセルデータを伝送し、後半では左眼画像データの各ピクセルのデータを伝送する方式（方式（６）:「Side by Side」）を示す。第１ビットでは、ＭＰＥＧ−Ｃで規定される２次元画像と奥行きデータによる伝送方式（ＭＰＥＧ−Ｃ方式）の選択を示す。
【０２３０】
したがって、シンク機器（この実施の形態では、テレビ受信機２５０）は、第７ビットから第１ビットのいずれかのビットが設定されている場合に、３Ｄ画像データが伝送されていると判定できる。さらに、方式（１）では３８４０×１０８０という映像フォーマットを用い、方式（２）では１９２０×２１６０という映像フォーマットを用いる。そのため、AVI InfoFrameの第７バイトのＶＩＣ６からＶＩＣ０ビットで指定される映像フォーマットに、図３４で示すような映像フォーマット中から、方式に対応したものを選択する。さらに、AVI InfoFrameの第４バイトの第６ビットと第５ビットでRGB 4:4:4、YCbCr 4:4:4、YCbCr 4:2:2の指定がされる。
【０２３１】
また、AVI InfoFrameとは別のパケットで、Deep Color情報を伝送しなければならない。そのため、図３５に示すように、General Control ProtocolパケットのＣＤ３からＣＤ０のビットで、方式（１）〜（３）の場合は、４８bit(0x7)を指定する。
【０２３２】
Audio InfoFrameパケットは、上述したデータアイランド区間に配置される。図３６は、Audio InfoFrameパケットのデータ構造を示している。ＨＤＭＩでは、当該Audio InfoFrameパケットにより、音声に関する付帯情報をソース機器からシンク機器に伝送可能となっている。
【０２３３】
第０バイトにデータパケットの種類を示す「Packet Type」が定義されており、この発明で用いられるAudio InfoFrameは「0x84」となっている。第１バイトにパケットデータ定義のバージョン情報を記述する。Audio InfoFrameパケットは、現在「0x01」であるが、この発明で３Ｄ音声データの伝送方式を定義した場合は、図示のように「0x02」になる。第２バイトに、パケット長を表す情報を記述する。Audio InfoFrameは、現在「0x0A」である。
【０２３４】
この発明における３Ｄ音声出力フォーマット情報は、第９バイトに定義される。第７ビットから第５ビットに、シンク機器が対応している３Ｄ音声データの伝送方式のうち、選択された伝送方式のいずれか１つを指定する。例として、第７ビットは方式Ａ、第６ビットは方式Ｂ、第５ビットは方式Ｃでの伝送を示す。
【０２３５】
次に、図１に示すＡＶシステム２００において、ディスクプレーヤ（ソース機器）２１０（ＣＰＵ２２１）における、テレビ受信機（シンク機器）の接続時の処理について、図３７のフローチャートを参照して説明する。
【０２３６】
ディスクプレーヤ２１０は、ステップＳＴ１において、処理を開始し、その後に、ステップＳＴ２の処理に移る。このステップＳＴ２において、ディスクプレーヤ２１０は、ＨＰＤ信号がハイレベル「Ｈ」にあるか否かを判定する。ＨＰＤ信号がハイレベル「Ｈ」にないとき、ディスクプレーヤ２１０にテレビ受信機（シンク機器）２５０が接続されていない。このとき、ディスクプレーヤ２１０は、直ちに、ステップＳＴ８に進み、処理を終了する。
【０２３７】
ＨＰＤ信号がハイレベル「Ｈ」にあるとき、ディスクプレーヤ２１０は、ステップＳＴ３において、テレビ受信機（シンク機器）２５０のＥ−ＥＤＩＤ（図３１、図３２参照）を読み出す。そして、ディスクプレーヤ２１０は、ステップＳＴ４において、３Ｄ画像・音声情報があるか否かを判定する。
【０２３８】
３Ｄ画像・音声情報がないとき、ディスクプレーヤ２１０は、ステップＳＴ９において、AVI InfoFrameパケットおよびAudio InfoFrameパケットに３Ｄ画像・音声の非伝送を示すデータを設定し、その後に、ステップＳＴ８に進み、処理を終了する。ここで、３Ｄ画像・音声の非伝送を示すデータの設定とは、AVI InfoFrameパケット（図３３参照）の第１７バイトの第７ビットから第４ビットの全てを「０」に設定し、また、Audio InfoFrameパケット（図３６参照）の第９バイトの第７ビットから第５ビットの全てを「０」に設定することを意味する。
【０２３９】
また、ステップＳＴ４で３Ｄ画像・音声情報があとき、ディスクプレーヤ２１０は、ステップＳＴ５において、３Ｄ画像・音声データの伝送方式を決定する。そして、ディスクプレーヤ２１０は、ステップＳＴ６において、３Ｄ画像・音声データの伝送開始か否かを判定する。３Ｄ画像・音声の伝送開始でないとき、ディスクプレーヤ２１０は、ステップＳＴ９において、AVI InfoFrameパケットおよびAudio InfoFrameパケットに３Ｄ画像・音声の非伝送を示すデータを設定し、その後に、ステップＳＴ８に進み、処理を終了する。
【０２４０】
ステップＳＴ６で３Ｄ画像・音声データの伝送開始であるとき、ディスクプレーヤ２１０は、ステップＳＴ７において、AVI InfoFrameパケットおよびAudio InfoFrameパケットに、３Ｄ画像・音声データの伝送方式を示すデータを設定し、その後に、ステップＳＴ８に進み、処理を終了する。
【０２４１】
次に、図１に示すＡＶシステム２００において、ディスクプレーヤ（ソース機器）２１０における３Ｄ画像データの伝送方式の決定処理（図３７のステップＳＴ５の処理）について、図３８のフローチャートを参照して説明する。
【０２４２】
ディスクプレーヤ２１０は、ステップＳＴ１１において、処理を開始し、その後に、ステップＳＴ１２の処理に移る。このステップＳＴ１２において、ディスクプレーヤ２１０は、Ｖｅｎｄｅｒ  Ｓｐｅｃｉｆｉｃ領域の第８から第１０バイトの第７ビットから第５ビットが設定されているかどうかを判断する。これらのビット設定に係る伝送方式は、最も画質品位が高い左眼画像および右眼画像のデータを劣化なしで伝送する方式であり、シンク機器での処理が最も容易な方式である。そのため、第７ビットから第５ビットが設定されているとき、ディスクプレーヤ２１０は、ステップＳＴ１３において、これらのビットで設定されている方式（１）〜（３）の伝送方式のうちのいずれかに伝送方式を選択し、その後に、ステップＳＴ１４において、処理を終了する。
【０２４３】
第７ビットから第５ビットが設定されていないとき、ディスクプレーヤ２１０は、ステップＳＴ１５の処理に移る。このステップＳＴ１５において、ディスクプレーヤ２１０は、Ｖｅｎｄｅｒ  Ｓｐｅｃｉｆｉｃ領域の第８から第１０バイトの第４ビットから第３ビットが設定されているかどうかを判断する。これらのビット設定に係る伝送方式は、次に画質品位が高い独立した左眼画像および右眼画像のデータを、ライン毎に順次伝送する方式で、シンク機器の処理が２フレーム単位となりメモリが必要となる。第４ビットから第３ビットが設定されているとき、ディスクプレーヤ２１０は、ステップＳＴ１６において、これらのビットで設定されている方式（４）または（５）のいずれかに伝送方式を選択し、その後に、ステップＳＴ１４において、処理を終了する。
【０２４４】
第４ビットから第３ビットが設定されていないとき、ディスクプレーヤ２１０は、ステップＳＴ１７の処理に移る。このステップＳＴ１７において、ディスクプレーヤ２１０は、Ｖｅｎｄｅｒ  Ｓｐｅｃｉｆｉｃ領域の第８から第１０バイトの第２ビットが設定されているかどうかを判断する。このビット設定に係る伝送方式は、次に画質品位が高い独立した左眼画像および右眼画像のデータを、同じフレーム内に「Side By Side」と呼ばれる方式で水平解像度をそれぞれ半分にして伝送する方式であり、シンク機器の処理で水平解像度を２倍に伸張する処理が必要となる。第２ビットが設定されているとき、ディスクプレーヤ２１０は、ステップＳＴ１８において、このビットで設定されている方式（６）の伝送方式を選択し、その後に、ステップＳＴ１４において、処理を終了する。
【０２４５】
第２ビットが設定されていないとき、ディスクプレーヤ２１０は、ステップＳＴ１９の処理に移る。このステップＳＴ１９において、ディスクプレーヤ２１０は、Ｖｅｎｄｅｒ  Ｓｐｅｃｉｆｉｃ領域の第８から第１０バイトの第１ビットが設定されているかどうかを判断する。このビット設定に係る伝送方式は、左眼および右眼の共通画像データである２次元画像データと、左眼および右眼の奥行きデータを別々に伝送するＭＰＥＧ−Ｃ方式である。この方式では、シンク機器の処理により、これら２次元画像データおよび奥行きデータから左眼画像データおよび右眼画像データを生成する必要があり、処理が複雑となる。第１ビットが設定されているとき、ディスクプレーヤ２１０は、ステップＳＴ２０において、このビットで設定されているＭＰＥＧ−Ｃ方式の伝送方式を選択し、その後に、ステップＳＴ１４において、処理を終了する。
【０２４６】
第１ビットが設定されていないとき、ディスクプレーヤ２１０は、ステップＳＴ２１の処理に移る。このステップＳＴ２１において、ディスクプレーヤ２１０は、３Ｄ画像データの伝送可能な方式が無いと判断し、３Ｄ非選択を設定し、その後に、ステップＳＴ１４において、処理を終了する。
【０２４７】
以上説明したように、図１に示すＡＶシステム２００においては、ディスクプレーヤ２１０からテレビ受信機２５０に、３Ｄ画像・音声データを送信する際に、ディスクプレーヤ２１０は、送信する３Ｄ画像・音声データの伝送方式を、テレビ受信機２５０が対応可能な３Ｄ画像・音声データの伝送方式情報を受信して送信する。また、その際に、ディスクプレーヤ２１０は、送信する３Ｄ画像・音声データの伝送方式情報を、AVI InfoFrameパケット、Audio InfoFrameパケットを用いて、テレビ受信機２５０に送信する。したがって、ディスクプレーヤ２１０とテレビ受信機２５０との間における３Ｄ画像・音声データの伝送を良好に行うことができる。
【０２４８】
なお、上述実施の形態においては、ディスクプレーヤ（ソース機器）２１０は、テレビ受信機２５０に送信する３Ｄ画像・音声データの伝送方式情報を、AVI InfoFrameパケット、Audio InfoFrameパケットを用いて、画像データ（映像信号）のブランキング期間に挿入することで、テレビ受信機２５０に送信している。
【０２４９】
例えば、ディスクプレーヤ（ソース機器）２１０は、テレビ受信機２５０に送信する３Ｄ画像・音声データの伝送方式情報を、ＨＤＭＩケーブル３５０の制御データラインであるＣＥＣライン８４を介して、テレビ受信機２５０に送信するようにしてもよい。また、例えば、ディスクプレーヤ２１０は、テレビ受信機２５０に送信する３Ｄ画像・音声データの伝送方式情報を、ＨＤＭＩケーブル３５０のリザーブラインおよびＨＰＤラインで構成される双方向通信路を介して、テレビ受信機２５０に送信する、ようにしてもよい。
【０２５０】
また、上述実施の形態においては、テレビ受信機２５０のＥ−ＥＤＩＤには、当該テレビ受信機２５０が対応する３Ｄ画像・音声データの伝送方式情報が含まれており、ディスクプレーヤ２１０は、ＨＤＭＩケーブル３５０のＤＤＣ８３を介してＥ−ＥＤＩＤを読み出すことで、テレビ受信機２５０が対応する３Ｄ画像・音声データの伝送方式情報を取得するようにしている。
【０２５１】
しかし、ディスクプレーヤ２１０は、テレビ受信機２５０が対応する３Ｄ画像・音声データの伝送方式情報を、テレビ受信機２５０から、ＨＤＭＩケーブル３５０の制御データラインであるＣＥＣライン８４を介して、あるいはＨＤＭＩケーブル３５０のリザーブラインおよびＨＰＤラインで構成される双方向通信路を介して受信するようにしてもよい。
【０２５２】
なお、上述実施の形態は、ＨＤＭＩの伝送路を用いるものを示している。しかし、ベースバンドデジタルインタフェースとしては、ＨＤＭＩの他に、ＤＶＩ(Digital Visual Interface)、ＤＰ(Display Port)インタフェース、６０ＧＨｚミリ波を利用したワイヤレスインタフェース等がある。この発明は、これらのデジタルインタフェースで、３Ｄ画像・音声データを伝送する場合にも同様に適用できる。
【０２５３】
ＤＶＩの場合、上述したＨＤＭＩと同様に、受信装置が対応する３Ｄ画像・音声データの伝送方式は、当該受信装置が保有するＥ−ＥＤＩＤと呼ばれる領域に記憶されている。したがって、このＤＶＩの場合、上述したＨＤＭＩの場合と同様にして、送信装置は、３Ｄ画像・音声データを受信装置に送信する際には、ＤＤＣ(Display Data Channel)を用いて受信装置のＥ−ＥＤＩＤから上述の３Ｄ画像・音声情報を読み出し、伝送方式を決めることができる。
【０２５４】
図３９は、ＤＰインタフェースを用いたＤＰシステムの構成例を示している。このＤＰシステムは、ディスプレイポート送信機器とディスプレイポート受信機器とが、ＤＰインタフェースにより接続されている。そして、ディスプレイポート送信機器はディスプレイポートトランスミッタを備え、ディスプレイポート受信機器はディスプレイポートレシーバを備えている。
【０２５５】
メインリンクは、１つ、２つ、または４つの二重終端差動信号ペア（ペアレーン）から構成され、専用のクロック信号は持たず、代わりに８Ｂ／１０Ｂ符号化データストリームにクロックが埋め込まれている。ＤＰインタフェースでは、２つの伝送速度が定められている。１つはペアレーン当たりの帯域幅が２．１６Ｇbpsである。もう１つは、ペアレーン当たりの帯域幅が１．２９６Ｇbpsである。従って、このＤＰインタフェースの伝送路における論理上の上限伝送ビットレートは、１ポートあたり２．１６Ｇbpsであり、最大４ポートで８．６４Ｇbpsである。
【０２５６】
このＤＰインタフェースでは、ＨＤＭＩと違い、伝送速度とピクセル周波数は独立していて、ピクセルの深さや解像度、フレーム周波数、および転送ストリーム内の音声データやＤＲＭ情報などの付加データの有無ならびにその量を、自由に調整できる。
【０２５７】
また、ＤＰインタフェースでは、メインリンクとは別に、帯域幅１Ｍビット/秒、最大遅延５００msの半二重双方向の外部（補助）チャネルがあり、この双方向通信によって送信機器と受信機器との間の機能に関する情報交換を行う。この発明では、この外部（補助）チャネルを用いて３Ｄ画像・音声に関する情報の伝送を行う。なお、このＤＰインタフェースの場合、図示していないが、受信機器が対応する３Ｄ画像・音声データの伝送方式情報は、ＨＤＭＩと同様のＥＤＩＤに記録されている。ホットプラグ検知は、接続先が変更されたことを検出するために備えられている。
【０２５８】
図４０は、ワイヤレスインタフェースを用いたワイヤレスシステムの構成例を示している。送信装置は、画像・音声データの再生部、ワイヤレス送受信部、記憶部と、これらを制御する制御部で構成されている。また、受信装置は、映像・音声の出力部、ワイヤレス送受信部、記憶部と、これらを制御する制御部で構成されている。送信装置と受信装置の間は、ワイヤレス伝送路にて接続されている。
【０２５９】
この発明では、受信装置が対応可能な３Ｄ画像・音声データの伝送方式の情報は、当該受信装置の記憶部に記憶されており、ワイヤレス伝送路で送信装置に送られる。また、送信装置からの３Ｄ画像・音声データの伝送方式情報は、映像・音声・制御信号と多重化されてワイヤレス伝送路で受信装置に送られる。
【０２６０】
ケーブルもしくはワイヤレスによる接続の場合は、それぞれの伝送路での論理上の上限伝送レート（ＨＤＭＩでは１０．２Ｇｂｐｓ、ＤＶＩでは３．９６Ｇｂｐｓ、ＤＰでは１ポート当り２．１６Ｇｂｐｓで最大４ポートの８．６４Ｇｂｐｓ、ギガビットＥｔｈｅｒ・光ファイバーは１Ｇｂｐｓもしくは１０Ｇｂｐｓ）が規定されている。
【０２６１】
しかし、これらの伝送路では、伝送路長や伝送路の電気的特性等により、上限伝送レートに達しないことがあり、送信装置が伝送しようとする３Ｄ画像データの伝送に必要とされる伝送レートが得られない場合がある。その際、３Ｄ画像データの伝送方式を適切に選択する必要がある。
【０２６２】
図４１は、伝送路の伝送レートを確認して３Ｄ画像データの伝送方式を決定する、伝送システム６００の構成例を示している。伝送システム６００は、送信装置６１０および受信装置６５０が伝送路６６０で接続された構成となっている。
【０２６３】
送信装置６１０は、制御部６１１、記憶部６１２、再生部６１３、３Ｄ信号処理部６１４、伝送部６１５を有している。制御部６１１は、送信装置６１０の各部の動作を制御する。再生部６１３は、光ディスク、ＨＤＤ、半導体メモリ等の記録メディアから、送信すべき３Ｄ画像データを再生する。３Ｄ信号処理部６１４は、再生部６１３で再生された３Ｄ画像データ（例えば、左眼画像データおよび右眼画像データ）を、制御部６１１から指定される伝送方式に合致した状態（図１１、図１２、図２８参照）となるように加工処理する。
【０２６４】
伝送部６１５は、３Ｄ信号処理部６１４で得られた３Ｄ画像データを、受信装置６５０に送信する。また、伝送部６１５は、送信する３Ｄ画像データの伝送方式情報を、例えば、AVI InfoFrameパケット等を用いて、受信装置６５０に送信する。また、伝送部６１５は、受信装置６５０から送られてくる、当該受信装置６５０が対応する３Ｄ画像データの伝送方式情報および伝送レート情報を受信して、制御部６１１に供給する。
【０２６５】
受信装置６５０は、制御部６５１、記憶部６５２、伝送部６５３、３Ｄ信号処理部６５４および出力部６５５および検出部６５６を有している。制御部６１１は、受信装置６５０の各部の動作を制御する。記憶部６５２には、受信装置６５０が対応する３Ｄ画像データの伝送方式の情報が記憶されている。
【０２６６】
伝送部６５３は、送信装置６５３から送られてくる３Ｄ画像データを受信する。また、伝送部６５３は、送信装置６５３から送られてくる、３Ｄ画像データの伝送方式情報を受信して、制御部６５１に供給する。また、伝送部６５３は、記憶部６５２に記憶されている、受信装置６５０が対応する３Ｄ画像データの伝送方式情報を、送信装置６１０に送信する。
【０２６７】
また、伝送部６５３は、制御部６５１で得られる伝送レート情報を、送信装置６１０に送信する。すなわち、検出部６５６は、伝送部６５３から供給される例えばビットエラー情報等に基づいて、伝送路６６０の状態を判定する。制御部６５１は、検出部６５６の判定結果に基づいて、伝送路６６０の品位を判断し、伝送路６６０の伝送レートが、送信装置６１０から通知された３Ｄ画像データの伝送方式で必要とする伝送レートを下回る場合、その旨を示す伝送レート情報を、伝送部６５３を通じて送信装置６１０に送る。
【０２６８】
３Ｄ信号処理部６５４は、伝送部６５３で受信された３Ｄ画像データを処理し、左眼画像データおよび右眼画像データを生成する。制御部６５１は、送信装置６１０から送られてくる３Ｄ画像データの伝送方式情報に基づいて、３Ｄ信号処理部６５４の動作を制御する。表示部６５６は、３Ｄ信号処理部６５４で生成された左眼画像データおよび右眼画像データによる立体視画像を表示する。
【０２６９】
図４１に示す伝送システム６００の動作を説明する。送信装置６１０において、再生部６１３で再生された３Ｄ画像データ（左眼画像データおよび右眼画像データ、あるいは２次元画像データおよび奥行きデータ）を３Ｄ信号処理部６１４に供給する。制御部６１１では、受信装置６５０から受信された、当該受信装置６５０が対応する３Ｄ画像データの伝送方式情報に基づいて、受信装置６５０が対応する伝送方式のうち、所定の伝送方式が選択される。
【０２７０】
３Ｄ信号処理部６１４では、制御部６１１で選択された伝送方式に合致した状態となるように、再生部６１３で再生された３Ｄ画像データが加工処理される。３Ｄ信号処理部６１４で加工処理された３Ｄ画像データは、伝送部６１５により、伝送路６６０を介して、受信装置６５０に送信される。また、伝送部６１５から、制御部６１１で選択された伝送方式の情報が、受信装置６５０に送信される。
【０２７１】
受信装置６５０において、伝送部６５３では、送信装置６１０から送られてくる３Ｄ画像データが受信され、この３Ｄ画像データは３Ｄ信号処理部６５４に供給される。また、伝送部６５３では、送信装置６１０から送られてくる３Ｄ画像データの伝送方式情報が受信され、この伝送方式情報は制御部６５１に供給される。３Ｄ信号処理部６５４では、制御部６５１の制御のもと、伝送部６５３で受信された３Ｄ画像データに対して、その伝送方式に応じた処理が施されて、左眼画像データおよび右眼画像データが生成される。
【０２７２】
この左眼画像データおよび右眼画像データは、表示部６５５に供給される。そして、この表示部６５６では、３Ｄ信号処理部６５４で生成された左眼画像データおよび右眼画像データによる立体視画像が表示される（図２参照）。
【０２７３】
また、受信装置６５０において、検出部６５６では、伝送部６５３から供給される例えばビットエラー情報等に基づいて、伝送路６６０の状態が判定され、その判定結果は制御部６５１に供給される。制御部６５１では、検出部６５６の判定結果に基づいて、伝送路６６０の品位が判断される。そして、伝送路６６０の伝送レートが、送信装置６１０から通知された３Ｄ画像データの伝送方式で必要とする伝送レートを下回る場合、制御部６５１からその旨を示す伝送レート情報が発生され、この伝送レート情報は伝送部６５３から送信装置６１０に送信される。
【０２７４】
送信装置６１０において、伝送部６５０では、受信装置６５０から送られてくる伝送レート情報が受信され、この伝送レート情報は制御部６１１に供給される。制御部６１１では、伝送レート情報に基づき、伝送路６６０の伝送レート以内に収まるように、３Ｄ画像データの伝送方式の選択が変更される。３Ｄ信号処理部６１４では、変更後の伝送方式に合致した状態となるように、再生部６１３で再生された３Ｄ画像データが加工処理される。そして、加工処理された３Ｄ画像データは、伝送部６１５により、伝送路６６０を介して、受信装置６５０に送信される。また、伝送部６１５から、制御部６１１で変更された伝送方式の情報が、受信装置６５０に送信される。
【０２７５】
図４１に示す伝送システム６００においては、上述したように、送信装置６１０は、受信装置６５０から送られてくる伝送レート情報に基づいて、送信すべき３Ｄ画像データの伝送方式として、必要伝送レートが伝送路６６０の伝送レート内に収まる伝送方式を選択できる。したがって、伝送路の状態の変化に拘わらずに、立体画像データを常に良好に送信できる。
【０２７６】
なお、上述では、受信装置６５０から送信装置６１０に送られる伝送レート情報が、伝送路６６０の伝送レートが送信装置６１０から通知された３Ｄ画像データの伝送方式で必要とする伝送レートを下回る旨を示すものであったが、この伝送レート情報は、伝送路６６０の伝送レートを示すものであってもよい。
【０２７７】
また、上述では、伝送路６６０の伝送レートが送信装置６１０から通知された３Ｄ画像データの伝送方式で必要とする伝送レートを下回る場合、受信装置６５０から送信装置６１０にその旨を示す伝送レート情報が送信されるものを示したが、以下のようにしてもよい。すなわち、その場合、記憶部６５２に記憶されているＥ−ＥＤＩＤのうち、受信装置６５０が対応可能な３Ｄ画像データの伝送方式情報が書き換えられ、伝送路６６０の伝送レート以内に収まる伝送方式のみが有効にされる。
【０２７８】
この場合、受信装置６５０は送信装置６１０にＥ−ＥＤＩＤの変更を通知する必要がある。例えば、伝送路６６０がＨＤＭＩインタフェースの場合には、ＨＰＤ信号が一時的に「Ｌ」に制御され、送信装置６１０が再度Ｅ−ＥＤＩＤを読み取るように制御される。
【０２７９】
なお、上述実施の形態においては、３Ｄ画像データを構成する左眼画像データおよび右眼画像データ、あるいは２次元画像データおよび奥行きデータを、加工処理した後に、ＨＤＭＩのＴＭＤＳチャネルで送信する例を示した。しかし、３Ｄ画像データを構成する２種類のデータを、別の伝送路で送信することも考えられる。
【０２８０】
例えば、３Ｄ画像データが左眼画像データおよび右眼画像データで構成される場合には、いずれか一方をＴＭＤＳチャネルで送信し、他方をＨＤＭＩケーブル３５０の所定ライン（この実施の形態では、リザーブラインおよびＨＰＤライン）で構成される双方向通信路を介して送信するようにしてもよい。また、例えば、３Ｄ画像データが２次元画像データおよび奥行きデータで構成される場合には、２次元画像データをＴＭＤＳチャネルで送信し、奥行きデータをＨＤＭＩケーブル３５０の所定ライン（この実施の形態では、リザーブラインおよびＨＰＤライン）で構成される双方向通信路、あるいはＨＤＭＩのデータアイランド区間で送信してもよい。
【０２８１】
また、上述実施の形態においては、送信装置（ソース機器）としてディスクプレーヤ２１０を使用し、受信装置（シンク機器）としてテレビ受信機２５０を使用した例としたが、その他の送信装置、受信装置を使用するものにも、この発明を同様に適用できる。
【産業上の利用可能性】
【０２８２】
この発明は、送信装置から受信装置に、受信装置における３Ｄ画像データの伝送方式の対応情報に基づいて選択された伝送方式で３Ｄ画像データを良好に伝送するものであり、例えば異なるメーカーの送信装置および受信装置で構成される３Ｄ画像データの伝送システムに適用できる。
【符号の説明】
【０２８３】
２００・・・ＡＶシステム、２１０・・・ディスクプレーヤ、２１１・・・ＨＤＭＩ端子、２１２・・・ＨＤＭＩ送信部、２１３・・・高速データラインインタフェース、２１４・・・ＣＰＵ、２１５・・・ＣＰＵバス、２１６・・・ＳＤＲＡＭ、２１７・・・フラッシュＲＯＭ、２１８・・・リモコン受信部、２１９・・・リモコン送信機、２２０・・・ＩＥＤインタフェース、２２１・・・ＢＤドライブ、２２２・・・内部バス、２２３・・・イーサネットインタフェース、２２４・・・ネットワーク端子、２２５・・・ＭＰＥＧデコーダ、２２６・・・グラフィック生成回路、２２７・・・映像出力端子、２２８・・・音声出力端子、２２９・・・３Ｄ信号処理部、２３０・・・ＤＴＣＰ回路、２５０・・・テレビ受信機、２５１・・・ＨＤＭＩ端子、２５２・・・ＨＤＭＩ受信部、２５３・・・高速データラインインタフェース、２５４・・・３Ｄ信号処理部、２５５・・・アンテナ端子、２５６・・・デジタルチューナ、２５７・・・デマルチプレクサ、２５８・・・ＭＰＥＧデコーダ、２５９・・・映像信号処理回路、２６０・・・グラフィック生成回路、２６１・・・パネル駆動回路、２６２・・・表示パネル、２６３・・・音声信号処理回路、２６４・・・音声増幅回路、２６５・・・スピーカ、１７０・・・内部バス、２７１・・・ＣＰＵ、２７２・・・フラッシュＲＯＭ、２７３・・・ＤＲＡＭ、２７４・・・イーサネットインタフェース、２７５・・・ネットワーク端子、２７６・・・リモコン受信部、２７７・・・リモコン送信機、２７８・・・ＤＴＣＰ回路、３５０・・・ＨＤＭＩケーブル、６００・・・伝送システム、６１０・・・送信装置、６１１・・・制御部、６１２・・・記憶部、６１３・・・再生部、６１４・・・３Ｄ信号処理部、６１５・・・伝送部、６５０・・・受信装置、６５１・・・制御部、６５２・・・記憶部、６５３・・・伝送部、６５４・・・３Ｄ信号処理部、６５５・・・表示部、６５６・・・検出部
【図１】
0005583866.tif 000002
【図２】
0005583866.tif 000003
【図３】
0005583866.tif 000004
【図４】
0005583866.tif 000005
【図５】
0005583866.tif 000006
【図６】
0005583866.tif 000007
【図７】
0005583866.tif 000008
【図８】
0005583866.tif 000009
【図９】
0005583866.tif 000010
【図１０】
0005583866.tif 000011
【図１１】
0005583866.tif 000012
【図１２】
0005583866.tif 000013
【図１３】
0005583866.tif 000014
【図１４】
0005583866.tif 000015
【図１５】
0005583866.tif 000016
【図１６】
0005583866.tif 000017
【図１７】
0005583866.tif 000018
【図１８】
0005583866.tif 000019
【図１９】
0005583866.tif 000020
【図２０】
0005583866.tif 000021
【図２１】
0005583866.tif 000022
【図２２】
0005583866.tif 000023
【図２３】
0005583866.tif 000024
【図２４】
0005583866.tif 000025
【図２５】
0005583866.tif 000026
【図２６】
0005583866.tif 000027
【図２８】
0005583866.tif 000028
【図２９】
0005583866.tif 000029
【図３０】
0005583866.tif 000030
【図３１】
0005583866.tif 000031
【図３２】
0005583866.tif 000032
【図３３】
0005583866.tif 000033
【図３４】
0005583866.tif 000034
【図３５】
0005583866.tif 000035
【図３６】
0005583866.tif 000036
【図３７】
0005583866.tif 000037
【図３８】
0005583866.tif 000038
【図３９】
0005583866.tif 000039
【図４０】
0005583866.tif 000040
【図４１】
0005583866.tif 000041
【図４２】
0005583866.tif 000042
【図４３】
0005583866.tif 000043
【図４４】
0005583866.tif 000044
【図４５】
0005583866.tif 000045
【図４６】
0005583866.tif 000046
【図２７】
0005583866.tif 000047